(57)【要約】本開示は、無線通信に用いられる電子装置及び方法を提供し、当該電子装置は、車群のネットワーク構成を確認し、前記ネットワーク構成に対応するリンク安定性測定配置を確定し、前記リンク安定性測定配置は、リンクの受信端装置が伝送されたコンテンツの受信状態に基づいて前記リンクの安定性を確定するために使用されるように配置される処理回路を含む。【選択図】図２
2020519036.tif 000002
【特許請求の範囲】
【請求項１】
無線通信に用いられる電子装置であって、
車群のネットワーク構成を確認し、
前記ネットワーク構成に対応するリンク安定性測定配置を確定し、前記リンク安定性測定配置は、リンクの受信端装置が伝送されたコンテンツの受信状態に基づいて前記リンクの安定性を確定するために使用される、
ように配置される処理回路を含む電子装置。
【請求項２】
前記処理回路は、所定の時間が経過したこと、車群規模変更、車群メンバーの情報やり取り需要変更、利用可能なネットワーク伝送リソース変更のうち少なくとも１つに応答して前記確認及び前記確定を実行するように配置される請求項１に記載の電子装置。
【請求項３】
前記車群のネットワーク構成は、車群規模、車群形式、ネットワーク通信のアーキテクチャ、のうち１つ又は複数を含む請求項１に記載の電子装置。
【請求項４】
前記車群のネットワーク通信のアーキテクチャは、１）車群マネージャーが車群メンバーに情報をブロードキャストし、車群メンバーがシングルホップリンクを介して車群マネージャーに情報を送信することと、２）車群マネージャーが車群メンバーに情報をブロードキャストし、車群メンバーが隣接する車群メンバー間の一方向リンクを使用して車群マネージャーに情報を送信することと、３）車群マネージャーが車群メンバーに情報をブロードキャストし、隣接する車群メンバーの間に双方向リンクがあることと、４）隣接する車群メンバー間が双方向リンクを介して情報をやりとることと、５）車群が複数のクラスタに分割され、隣接するクラスタマネージャーの間が双方向リンクを介して情報をやり取り、各クラスタがそれぞれ１）から４）のいずれかで配置されることと、の少なくとも１つを含む請求項３に記載の電子装置。
【請求項５】
前記処理回路はさらに、確認されたネットワーク構成に基づいて、ネットワーク端に車群にネットワーク伝送リソースを割り当てるように要求するためのリソース割り当て要求を生成するように配置される、請求項１に記載の電子装置。
【請求項６】
前記処理回路はさらに、車群内部のリソース需要の総量を推定し、前記リソース割り当て要求に推定されたリソース需要の総量を含める、ように配置される請求項５に記載の電子装置。
【請求項７】
前記処理回路は、前記ネットワーク構成、転送ノードのデータ処理モード、単位時間内に車群メンバーによって伝送される情報量のうち少なくとも１つに基づいて前記推定を行う、ように配置される請求項６に記載の電子装置。
【請求項８】
前記処理回路は、推定されたリソース需要の総量に基づいて、１つ又は複数の半永続スケジューリング配置要求を前記リソース割り当て要求として生成する、ように配置される請求項６に記載の電子装置。
【請求項９】
前記リソース割り当て要求は、車群のネットワーク通信のアーキテクチャの標識及び車群規模の情報を含む、請求項５に記載の電子装置。
【請求項１０】
前記処理回路はさらに、前記ネットワーク構成に基づいて、単位時間内に車群メンバーによって伝送される情報量を確定し、ネットワーク構成と単位時間内に車群メンバーによって伝送される情報量とが対応関係を有するように配置される、請求項１に記載の電子装置。
【請求項１１】
前記処理回路はさらに、ネットワーク端によって実際に割り当てられたネットワーク伝送リソースに基づいて、車群のネットワーク構成を調整し、調整されたネットワーク構成に基づいて車群内の伝送リソース割り当てを行う、ように配置される請求項５に記載の電子装置。
【請求項１２】
前記処理回路はさらに、割り当てられたネットワーク伝送リソースの調整可能範囲を前記ネットワーク端から取得し、ネットワーク伝送リソースを車群メンバーに割り当てる際に前記車群メンバーに当該調整可能範囲を通知するように配置される、請求項５に記載の電子装置。
【請求項１３】
前記処理回路は、前記リンク安定性測定配置をネットワーク端から取得するか、又は、予め記憶されたネットワーク構成とリンク安定性測定配置との対応関係に基づいて前記リンク安定性測定配置を確定するように配置される、請求項１に記載の電子装置。
【請求項１４】
前記リンク安定性測定配置はリンク伝送モードとリンク安定性との対応関係を含む、請求項１に記載の電子装置。
【請求項１５】
前記リンク伝送モードは、所定の時間内にリンク上で伝送を実行する回数を含み、前記リンク安定性には、固定期間に成功した受信の回数又は割合を含む、請求項１４に記載の電子装置。
【請求項１６】
前記処理回路はさらに、各リンクに割り当てられた伝送リソースに基づいて、対応する車群メンバーに提供するための、前記リンクに対するリンク安定性測定配置を確定するように配置される、請求項１１に記載の電子装置。
【請求項１７】
前記処理回路はさらに、リンク安定性測定の結果に基づいて対応するイベントを処理する、ように配置される請求項１１に記載の電子装置。
【請求項１８】
前記処理回路は、前記リンク安定性測定結果及び／又は車群メンバーによって伝送される情報量の変化に基づいて、車群内の伝送リソースの再割り当てを実行するように配置される、請求項１７に記載の電子装置。
【請求項１９】
前記処理回路は、前記リンク安定性測定結果に基づいて、リンク中断処理を実行し、その中、リンク中断処理の策略は前記ネットワーク構成及び／又はリンク中断が車群走行に与えた影響の程度に依存するように配置される、請求項１７に記載の電子装置。
【請求項２０】
無線通信に用いられる電子装置であって、
リンクに対するリンク安定性測定配置に基づいてリンク安定性の測定を行い、その中、前記リンクの受信端が前記電子装置の位置する車両であって、前記リンクの送信端が車群のうち他の車両であり、
前記測定の結果に基づいて対応するイベントをトリガーする
ように配置される処理回路を含む電子装置。
【請求項２１】
前記処理回路は、前記測定の結果に基づいてリソース配置調整イベントをトリガーするように配置される請求項２０に記載の電子装置。
【請求項２２】
前記処理回路はさらに、伝送する必要のある情報量の変化に基づいて前記リソース配置調整イベントをトリガーするように配置される、請求項２１に記載の電子装置。
【請求項２３】
前記処理回路は、リソース配置調整が調整可能範囲内にある時に、前記リンクの送信端に送信される調整要求を生成し、リソース配置調整が調整可能範囲内ではない時に、前記電子装置が位置する車両の車群マネージャーに送信される調整要求を生成する、ように配置される請求項２１に記載の電子装置。
【請求項２４】
前記処理回路は、前記測定の結果に基づいてリンク中断処理イベントをトリガーするように配置される請求項２０に記載の電子装置。
【請求項２５】
リンク中断処理の策略は、リンク中断が車群走行に与えた影響の程度及び／又は車群のネットワーク構成に依存する、請求項２４に記載の電子装置。
【請求項２６】
前記処理回路はさらに、前記車群のマネージャーに通知するための、中断処理結果が含まれる報告を生成するように配置される請求項２４に記載の電子装置。
【請求項２７】
無線通信に用いられる電子装置であって、
車群メンバーの感知動作に関するパラメータを取得し、
前記パラメータに基づいて、車群のうち複数の車群メンバーに対する感知配置を生成し、前記複数の車群メンバーが前記感知配置に基づいて協調感知を行う
ように配置される処理回路を含む電子装置。
【請求項２８】
前記パラメータは、非相関距離、有効感知ノードの数、車群メンバー感知能力、車群メンバーの位置、のうち１つ又は複数を含む請求項２７に記載の電子装置。
【請求項２９】
前記感知配置は、感知に関与する車群メンバー、感知される周波数スペクトル範囲及び時間範囲、感知結果の報告、結果の報告に用いられるリソース配置、のうち１つ又は複数を含む請求項２７に記載の電子装置。
【請求項３０】
前記感知結果の報告の形態は、少なくともリンク安定性測定の結果に依存するように配置される請求項２９に記載の電子装置。
【請求項３１】
前記処理回路はさらに、車群のネットワーク構成に対応するリンク安定性測定配置を確定し、前記リンク安定性測定配置は、リンクの受信端装置が伝送されたコンテンツの受信状態に基づいて前記リンクの安定性を確定するために使用されるように配置される、請求項３０に記載の電子装置。
【請求項３２】
前記処理回路はさらに、前記協調感知の結果に基づいて、車群に対する感知された周波数スペクトルの使用者の位置を確定するように配置される、請求項２７に記載の電子装置。
【請求項３３】
無線通信に用いられる方法であって、
車群のネットワーク構成を確認することと、
前記ネットワーク構成に対応するリンク安定性測定配置を確定し、前記リンク安定性測定配置は、リンクの受信端装置が伝送されたコンテンツの受信状態に基づいて前記リンクの安定性を確定するために使用されることと、を含む方法。
【請求項３４】
無線通信に用いられる方法であって、
リンクに対するリンク安定性測定配置に基づいてリンク安定性の測定を行い、その中、前記リンクの受信端が前記電子装置の位置する車両であって、前記リンクの送信端が車群のうち他の車両であることと、
前記測定の結果に基づいて対応するイベントをトリガーすることと、を含む方法。
【請求項３５】
無線通信に用いられる方法であって、
車群メンバーの感知動作に関するパラメータを取得することと、
前記パラメータに基づいて、車群のうち複数の車群メンバーに対する感知配置を生成し、前記複数の車群メンバーが前記感知配置に基づいて協調感知を行うこととを含む方法。
【発明の詳細な説明】
【技術分野】
【０００１】
本出願は、２０１７年５月４日に中国特許庁に提出された、出願番号が２０１７１０３０８２９７.１であって、発明の名称が「無線通信に用いられる電子装置及び方法」である中国特許出願の優先権を主張するものであり、その全内容を本出願に参照により援用する。
【０００２】
本発明の実施例は、一般的に、無線通信の分野に関し、具体的には、車のネットワークにおけるシステム配置に関し、より具体的には、無線通信に用いられる電子装置及び方法に関する。
【背景技術】
【０００３】
コンピュータ及び通信技術の急速な発展に伴い、無線装置と無線データは指数関数的に増加し、システムの共存に関連する無線ビジネスケースの多様性は、毎日変化しており、無限のビジネスチャンスをもたらすので、業界からますます注目を集めている。例えば、当初、自動車メーカーが共同スポンサーを務めた車のネットワーク（Ｖ２Ｖ）は、交通事故の頻度を減らす目的で、車両システム内部及び近距離車両と車両の間の走行安全管理に使用される。現在では、車載通信装置をグループ化し、情報の伝送及び共有にネットワークを使用し、走行車両の安全保証を向上させるように進化した。
【発明の概要】
【発明が解決しようとする課題】
【０００４】
車のネットワークの中心的な目標は、車両走行状態又は事故警告情報が車両間で確実かつ迅速にやり取ることを確保し、安全な運転を保証し、事故の影響を低減することである。
【０００５】
現在検討しているＶ２Ｘは、主に高度な運転スタイルのサポートを追加した。高度な運転スタイルには、車群運転(Ｖｅｈｉｃｌｅｓ  Ｐｌａｔｏｏｎｉｎｇ)、半自動(Ｓｅｍｉ-ａｕｔｏｍａｔｅｄ)運転、全自動(Ｆｕｌｌ-ａｕｔｏｍａｔｅｄ)運転及び遠隔運転(Ｒｅｍｏｔｅ  Ｄｒｉｖｉｎｇ)が含まれる。その中、車群通信システムは、比較的近づいたチェーン方式で運転する車両群として説明する。車間距離を制御するために、車両の間でやり取る必要のある情報は少なくとも、車速、走行方向、制動や加速などの意図などを含む。車群方式で運転すると、車間距離を減らし、エネルギー消費を低減し、運転者の数を減らすことができる。全ての車群メンバーは、車群メンバーでもある直接的な近隣者の通信範囲内に位置する。そのため、車群通信システムでは、車群メンバーの間の通信の低遅延及び高信頼性のニーズがますます厳しくなっている。車群運転スタイルの実際のニーズに対するリンク管理技術を提供する必要がある。
【課題を解決するための手段】
【０００６】
本発明に関するある態様の基本的理解を提供するように、本発明に関する簡単な概説を以下に示す。この概説が本発明に関する網羅的な概説ではないと理解すべきである。それは、本発明の肝心又は重要部分を確定することを意図するものではなく、本発明の範囲を限定することを意図するものでもない。その目的は、後述するより詳細な説明の前置きとして、簡略化された形でいくつかの概念を提示することである。
【０００７】
本出願の一態様によれば、無線通信に用いられる電子装置を提供し、車群のネットワーク構成を確認し、ネットワーク構成に対応するリンク安定性測定配置を確定し、当該リンク安定性測定配置が、リンクの受信端装置が伝送されたコンテンツの受信状態に基づいて、リンクの安定性を確定するために使用されるように配置される処理回路を含む。
【０００８】
本出願の別の態様によれば、無線通信に用いられる電子装置を提供し、リンクに対するリンク安定性測定配置に基づいて、リンク安定性の測定を行い、その中、リンクの受信端が当該電子装置の位置する車両であり、リンクの送信端が車群のうち他の車両であり、及び、測定の結果に基づいて、対応するイベントをトリガーするように配置される処理回路を含む。
【０００９】
本出願の別の態様によれば、無線通信に用いられる方法を提供し、車群のネットワーク構成を確認することと、ネットワーク構成に対応するリンク安定性測定配置を確定し、当該リンク安定性測定配置が、リンクの受信端装置が伝送されたコンテンツの受信状態に基づいて、リンクの安定性を確定するために使用されることとを含む。
【００１０】
本出願の別の態様によれば、無線通信に用いられる方法を提供し、リンクに対するリンク安定性測定配置に基づいて、リンク安定性の測定を行い、その中、リンクの受信端が当該電子装置の位置する車両であり、リンクの送信端が車群のうち他の車両であることと、測定の結果に基づいて、対応するイベントをトリガーすることと、を含む。
【００１１】
本出願の上述した電子装置及び方法によれば、車群のネットワーク構成に対応するリンク安定性測定配置を使用してリンク安定性の測定を行うことによって、車群におけるリンクの安定性を迅速かつ正確に測定することができて、車群メンバーにとって信頼性が高く、遅延が少ない通信を実現する。
【００１２】
本出願の一態様によれば、無線通信に用いられる電子装置を提供し、車群メンバーの感知動作に関するパラメータを取得し、当該パラメータに基づいて、車群のうち複数の車群メンバーに対する感知配置を生成し、複数の車群メンバーが当該感知配置に基づいて協調感知を行うように配置される処理回路を含む。
【００１３】
本出願の別の態様によれば、無線通信に用いられる方法を提供し、車群メンバーの感知動作に関するパラメータを取得することと、当該パラメータに基づいて、車群のうち複数の車群メンバーに対する感知配置を生成し、複数の車群メンバーが当該感知配置に基づいて協調感知を行うことと、を含む。
【００１４】
本出願の上述した電子装置及び方法によれば、複数の車群メンバーが協調感知を実現するように、各車群メンバーに対する感知配置を生成することによって、感知の精度及び速度が向されて、車群メンバーにとって信頼性が高く、遅延が少ない通信を実現する。
【００１５】
本出願の他の態様によれば、上記方法を実現するためのコンピュータプログラムコードと、コンピュータプログラム製品と、上記方法を実現するためのコンピュータプログラムコードが記録されたコンピュータ可読記憶媒体をさらに提供する。
【００１６】
本発明の上記及びその他の利点は、添付の図面を参照して本発明の好ましい実施例の以下の詳細な説明からより明らかになる。
【図面の簡単な説明】
【００１７】
本発明の上記及びその他の利点及び特徴についてさらに記述するために、以下、本発明の具体的な実施形態について添付の図面を参照してさらに詳細に説明する。前記添付の図面は、以下の詳細な説明と共に本明細書に組み込まれ、本明細書の一部を形成する。同じ機能及び構造を有する構成要素は同じ参照符号によって示されている。これらの図面が本発明の典型的な例のみを示しており、本発明の範囲を限定するものとみなされるべきではないことは理解すべきである。図面において、
【００１８】
【図１】車群運転モードにおけるエンティティの一例を示す。
【図２】本出願の一実施例による無線通信に用いられる電子装置の機能モジュールブロック図を示す。
【図３】ａ）からｅ）は、本出願の一実施例によるネットワーク通信のアーキテクチャの５つの例を示す。
【図４】本出願の一実施例による無線通信に用いられる電子装置の機能モジュールブロック図を示す。
【図５】本出願の一実施例によるネットワーク端と車群マネージャーとの間の情報のやり取りのフローチャートを示す。
【図６】本出願の一実施例による無線通信に用いられる電子装置の機能モジュールブロック図を示す。
【図７】本出願の一実施例による車群マネージャーと車群メンバーとの間の情報の流れを示す概略図である。
【図８】本出願の一実施例による無線通信に用いられる電子装置の機能モジュールブロック図を示す。
【図９】本出願の一実施例によるリンク安定性測定の開始及びイベント処理のトリガーの情報の流れを示す概略図である。
【図１０】本出願の別の実施例による無線通信に用いられる電子装置の機能モジュールブロック図を示す。
【図１１】本出願の一実施例によるリソース配置調整の情報の流れを示す概略図である。
【図１２】本出願の一実施例による中断処理の情報の流れを示す概略図である。
【図１３】本出願の別の実施例による無線通信に用いられる電子装置の機能モジュールブロック図を示す。
【図１４】本出願の一実施例による車両が車群に加入する時の情報の流れを示す。
【図１５】協調感知の結果に基づいて、車群に対する感知された周波数スペクトルの使用者の位置を測定するための適用の例示的な一例を示す。
【図１６】本出願の一実施例による無線通信に用いられる方法のフローチャートを示す。
【図１７】本出願の別の実施例による無線通信に用いられる方法のフローチャートを示す。
【図１８】本出願の別の実施例による無線通信に用いられる方法のフローチャートを示す。
【図１９】本開示の技術を適用できるスマートフォンの概略構成の例を示すブロック図である。
【図２０】本開示の技術を適用できるカーナビゲーションの概略構成の例を示すブロック図である。
【図２１】本発明の実施例による方法及び／又は装置及び／又はシステムを実現できる汎用コンピューターの例示的構成を示すブロック図である。
【発明を実施するための形態】
【００１９】
以下、本発明の例示的な実施例について添付図面を参照して説明する。明確化と簡潔さのために、実際の実施形態の全ての特徴が明細書に記述されているわけではない。しかしながら、こういう実際の実施例の開発において多くの実施形態特有の決定が行われなければならなく、開発者の具体的な目標を達成し、例えば、システムや業務に関連する制約条件を満たし、これらの制約条件は実施形態に応じて変更される可能性があることと理解すべきである。加えて、開発作業は非常に複雑で時間がかかるが、そのような開発作業は本開示の利益を有する当業者にとって日常的なものであることも理解されるべきである。
【００２０】
ここで、不必要な詳細によって本発明を不明瞭にすることを避けるために、本発明による方案に密接に関連する装置構造及び／又は処理ステップのみが図面に示され、本発明とはほとんど関係のない他の詳細は省略されることにも注意されたい。
【００２１】
<第１の実施例>
【００２２】
図１は車群運転モードにおけるエンティティの一例を示した。この例では、車群作成者（Ｐｌａｔｏｏｎｉｎｇ  Ｃｒｅａｔｏｒ）は、車群の作成を担当する。車群マネージャー（Ｐｌａｔｏｏｎｉｎｇ  Ｌｅａｄｅｒ）は車群の管理を担当する。車群作成者と車群マネージャーは同じでも、異なってもよい。車群のうち他の車両は車群メンバー（Ｐｌａｔｏｏｎｉｎｇ  Ｍｅｍｂｅｒ）とは呼ばれる。以下、例えば車群のうちすべての車両の特徴を説明するなどの適切な場合に、車群メンバーには車群マネージャーが含まれることを理解されたい。
【００２３】
例えば、車群マネージャーは、車群メンバーからの周囲交通情報をリアルタイムで更新し、路側装置（Ｒｏａｄ  Ｓｉｄｅ  Ｕｎｉｔ,  ＲＳＵ）にレポートする。また、車群マネージャーは路側装置から遠く離れた道路の交通情報を受信して、車群メンバーと共有してもよい。全ての車群メンバーはＶ２Ｘストレートリンク(Ｓｉｄｅｌｉｎｋ、又は、ＰＣ５リンクとは呼ばれる)の方式によって車群内部において情報を共有することができる。車群運転モードのシステム性能は、車群内部メンバー間の通信リンクの品質及びその安定性に依存することが分かる。
【００２４】
本実施例は車群におけるリンク安定性測定に用いられる電子装置を提供する。図２に、当該電子装置１００の機能モジュールブロック図を示し、図２に示すように、電子装置１００は、車群のネットワーク構成を確認するように配置される確認ユニット１０１と、ネットワーク構成に対応するリンク安定性測定配置を確定するように配置される確定ユニット１０２とを含み、当該リンク安定性測定配置は、リンクの受信端装置が伝送されたコンテンツの受信状態に基づいてリンクの安定性を確定するために使用される。
【００２５】
その中、確認ユニット１０１と確定ユニット１０２は、例えばチップとして実施することができる１つ又は複数の処理回路によって実現することができる。当該電子装置１００は例えば車群マネージャーに位置することができる。
【００２６】
例えば、車群のネットワーク構成は車群規模（Ｐｌａｔｏｏｎ  Ｓｉｚｅ）、車群形式、ネットワーク通信のアーキテクチャのうち１つ又は複数を含んでもよい。その中、車群規模は、車群に含まれた車群メンバーの数であってもよい。車群形式は、（図１の例に示すような）一列に並ぶ車群又は必ずしも一列に並んでいるわけではなく柔軟に配置される協調運転車群などの車群の編成形式である。ネットワーク通信のアーキテクチャは、リンクの構成と通信の具体的な形式などの車群メンバー間で通信する方式を表す。
【００２７】
図３のａ）からｅ）は、ネットワーク通信のアーキテクチャの５つの例を示した。以下、これらの５つの形式のネットワークアーキテクチャのそれぞれについて説明する。しかし、本出願は、図３に示すネットワーク通信のアーキテクチャに限定されず、これが単なる例示であることを理解されたい。説明の便宜のために、データリンクにおける車群マネージャーへのデータ伝送方向を前方伝送（Ｆｏｒｗａｒｄ  Ｔｒａｎｓｍｉｓｓｉｏｎ）と定義し、車群マネージャーから離れた伝送方向を後方伝送（Ｂａｃｋｗａｒｄ  Ｔｒａｎｓｍｉｓｓｉｏｎ）と定義し、前方伝送のうち最も近い隣接メンバーは現在メンバーの先行（Ｐｒｅｄｅｃｅｓｓｏｒ）と呼ばれ、後方伝送のうち最も近い隣接メンバーは現在メンバーの後継（Ｓｕｃｃｅｓｓｏｒ）と呼ばれる。
【００２８】
図３のａでは、車群マネージャーは車群メンバーに情報をブロードキャストし、車群メンバーは、例えば、Ｖ３→Ｖ１であるシングルポップリンクを介して車群マネージャーに情報を送信する。車群マネージャーで同じ受信品質を達成する場合、マネージャーに近いほど、メンバーに必要な送信電力が小さくなる。
【００２９】
図３のｂでは、車群マネージャーは車群メンバーに情報をブロードキャストし、車群メンバーは隣接する車群メンバー間の一方向リンクを利用して車群マネージャーに情報を送信する。言い換えれば、車群メンバーと先行メンバーとは例えば、Ｖ３→Ｖ２である一方向のリンクを確立し、。このように、隣接する２つの車群メンバー間で一方向の前方伝送リンクを構成する。隣接する車間距離が近いので、当該リンクは低い送信電力しか必要としない。
【００３０】
図３のｃでは、車群マネージャーは車群メンバーに情報をブロードキャストし、隣接する車群メンバーの間に双方向リンクがある。即ち、アーキテクチャｂに基づいて、例えばＶ２→Ｖ３である車群メンバーと後継メンバーとの一方向リンクを追加した。このように隣接する２つの車群メンバー間で双方向リンクを構成する。当該アーキテクチャの利点は、隣接する車群メンバー間の情報のやり取りが容易に実現することである。
【００３１】
図３のｄでは、隣接する車群メンバーの間は双方向リンクを介して情報をやり取る。言い換えれば、アーキテクチャｄとアーキテクチャｃとの違いは、アーキテクチャｄに車群マネージャーから車群メンバーへのブロードキャストリンクがなく、すべてのメンバーと隣接メンバーが双方向リンクを維持することである。当該アーキテクチャの利点は隣接するメンバー間の短いリンクが低い送信電力を必要とすることである。
【００３２】
図３のｅでは、車群は複数のクラスタ（Ｃｌｕｓｔｅｒ）に分割され、隣接するクラスタマネージャーの間に双方向リンクを介して情報をやり取り、各クラスタはそれぞれ、ａからｄのいずれかで配置されることができる。当該アーキテクチャは特に、規模が大きい車群に適している。例えば、ＬＴＥ  ｅＶ２Ｘでサポートできる車群メンバーの数は最大１９である。車群マネージャーとメンバーとの間の情報やり取りの遅延を減らすために、アーキテクチャｅに従って車群を複数のクラスタに分割することができ、各クラスタはクラスタマネージャーとクラスタメンバーからなる。車群マネージャーは最初のクラスタのクラスタマネージャーでもあり、隣接するクラスタマネージャーの間は双方向リンクを構成し、クラスタ内部はアーキテクチャａ〜ｄに従って任意に構成することができる。車群マネージャーは、クラスタマネージャーを管理する必要のみがあり、クラスタ内部はクラスタマネージャーによって管理される。アーキテクチャｅでは、電子装置１００はクラスタマネージャーに位置してもよい。
【００３３】
車群内のネットワーク通信のアーキテクチャは車群の規模、通信電力設定などによって設置することができる。車群規模は車群に含まれた車群メンバーの数であってもよい。例えば、車群規模が閾値Ｎ１（例えば、３）よりも低い場合に、アーキテクチャａを選択し、車群規模がＮ１よりも大きくＮ２（例えば、５）よりも小さい場合に、アーキテクチャｂを選択し、車群規模がＮ１よりも大きくＮ２よりも小さく、隣接する車両間の情報のやり取りが必要な場合に、アーキテクチャｃを選択し、車群マネージャーの送信電力が限られる場合に、アーキテクチャｄを選択し、車群規模がＮ２よりも大きい場合に、先にクラスタに分割して、クラスタマネージャーを選択する必要があり、各クラスタにおけるネットワーク構成は車群マネージャーによって統一的に選択してもよいし、クラスタマネージャーによって自行選択してもよい。
【００３４】
確認ユニット１０１と確定ユニット１０２は例えば、所定の時間が経過したこと、車群規模変更、車群メンバーの情報やり取り需要変更、利用可能なネットワーク伝送リソース変更の少なくとも１つに応答してそれぞれの動作を実行することができる。言い換えれば、確認ユニット１０１と確定ユニット１０２の動作は、周期的及び／又はトリガーされるものである。
【００３５】
確認ユニット１０１と確定ユニット１０２は所定の周期で動作を実行し、例えば、車群メンバーの入退出、車群形式の変更、アーキテクチャａからアーキテクチャｃに変更されるなどの車群のネットワーク通信アーキテクチャの変更などの、ネットワーク構成の変更を適時に確定することができる、。
【００３６】
確認ユニット１０１と確定ユニット１０２はトリガーによっても動作可能である。トリガー条件はネットワーク構成の変更を引き起こす可能性のある任意の条件であってもよい。例えば、車群規模が変更する場合、車群のネットワーク通信のアーキテクチャは変更されることがある。また、車群メンバーの情報やり取り需要が変更される場合、例えば、走行状態又は周囲交通環境の状態変化によってやり取る情報量が変化した場合、ネットワーク通信のアーキテクチャは変化する可能性がある。車群メンバー間の情報やり取りの量子化パラメータは、単一の車群メンバーが単位時間内にレポートする必要な情報量であってもよいし、単一のリンクが単位時間内に伝送する必要な情報量であってもよく、ＭｅｓｓａｇｅＳｉｚｅＰｅｒＵｎｉｔと記載され、後述するように、当該パラメータはネットワーク構成に関連することができる。又は、トリガー条件は、ネットワーク端（ｅＮＢ／ＲＳＵ）に通知された利用可能な伝送リソースの変更であってもよく、この場合に、ネットワーク構成を伝送リソースの変更に適応するように変更する必要がある可能性がある。
【００３７】
以上のように、異なるネットワーク構成が使用される場合、車群におけるリンク配置は異なってもよいので、確定ユニット１０２は当該ネットワーク構成に基づいて対応するリンク安定性測定配置を確定する。本出願の実施例では、リンク安定性測定配置は、リンクの受信端装置が伝送されたコンテンツの受信状態に基づいてリンクの安定性を確定するために使用される。言い換えれば、リンクの伝送状況を利用してリンクの安定性を評価する。
【００３８】
ＬＴＥは、ストレートリンク基準信号受信電力Ｓ-ＲＳＲＰ（Ｓｉｄｅｌｉｎｋ  ｒｅｆｅｒｅｎｃｅ  ｓｉｇｎａｌ  ｒｅｃｅｉｖｅｄ  ｐｏｗｅｒ）とストレートリンク発見基準信号受信電力ＳＤ-ＲＳＲＰ（Ｓｉｄｅｌｉｎｋ  ｄｉｓｃｏｖｅｒｙ  ｒｅｆｅｒｅｎｃｅ  ｓｉｇｎａｌ  ｒｅｃｅｉｖｅｄ  ｐｏｗｅｒ）との２つのストレートリンクに関するリンク品質測定パラメータを提供する。しかし、これらの２つのパラメータを測定する場合に、ユーザー装置は、同時にデータ送受信を行うことができない。そのため、これらの２つのパラメータを測定することによってリンクの安定性を確定することは、有效なデータの伝送に多くの時間を要するので、車群運転モードにおける頻繁な情報交換を必要とする場面に適していない。
【００３９】
本実施例は、車群における車両間の情報交換が頻繁に行われる特点を利用して、受信端車両が有用な情報を受信しながら受信の状態をモニタリングすることでリンクの安定性を評価するようになることで、制御シグナリングオーバーヘッド、発生した時間遅延及び必要なエネルギー消費が大幅に減される場合に、リンクの安定性正確に評価することができる。一方、上記２つのパラメータを測定することによってリンク安定性を評価する方式では、データを同時に送受信することができると仮定すると、本実施例の方法はこれと比べると、制御シグナリングオーバーヘッド及び必要なエネルギー消費を減し、実際のデータ伝送效率を向上させることができる。
【００４０】
リンク安定性測定配置は例えば、リンク伝送モードとリンク安定性との対応関係を含む。リンク伝送モードは例えば、所定の時間内にリンク上で伝送を実行する回数を含み、リンク安定性は例えば単位時間内などの固定期間に成功した受信の回数又は割合を含む。伝送されたコンテンツは、ｂｅａｃｏｎ、制御シグナリング、発見メッセージなどのシグナリングであってもよく、データなどであってもよい。
【００４１】
一例として、リンクにおける伝送が周期的伝送である場合に、リンク伝送モードはリンク上で伝送を実行する間隔周期であって、リンク安定性は固定期間に成功した受信の割合であってもよい。例えば、電子装置１００はｅＮＢ／ＲＳＵによって決定され、配置を提供する２種類の中央制御のスケジューリング方法をサポートすることができ、動的スケジューリング（Ｄｙｎａｍｉｃ  Ｓｃｈｅｄｕｌｉｎｇ）と半永続スケジューリング（Ｓｅｍｉ-ｐｅｒｓｉｓｔｅｎｔ  Ｓｃｈｅｄｕｌｉｎｇ,  ＳＰＳ）である。その中、動的スケジューリングは各サブフレームにおいて新しいスケジューリング決定、即ち、リソース位置の決定を行わなければならず、このような方法のリソース使用の柔軟性が高い。半永続スケジューリングは、リソース位置だけでなく、スケジューリング間隔、即ち、伝送周期情報を決定し、配置が変わらない場合に、リソース位置は一回だけＰＤＣＣＨによって送信する必要があり、伝送周期はＲＲＣシグナリングによって配置され、つまり、設定された周期でスケジューリングされたリソースを使用することができる。このような方法はシグナリングオーバヘッドを低減し、車群運転モードにおける伝送などのデータ量の周期的な伝送需要に適している。そのため、ＳＰＳが採用される場合、リンク安定性測定配置は、具体的なリソース割り当て方式に依存する。一方、ＳＰＳが採用されない場合、伝送は周期的ではないかもしれないが、各リンクに割り当てられた伝送リソースは所定の時間内に伝送回数にも影響を与えて、ひいては、リンク安定性測定配置に影響を与える。確定ユニット１０２は各リンクに割り当てられた伝送リソースに基づいて、対応する車群メンバーに提供するための当該リンクに対するリンク安定性測定配置を確定するように配置されることがである。
【００４２】
また、リンク安定性測定配置はさらに、周囲の車両の数及び密度、周囲車両によって送信されたメッセージの数及び頻度、伝送されたコンテンツのタイプなどのネットワーク環境によっても影響を受ける。
【００４３】
他の例として、リンク安定性は固定期間に連続した正常に受信されない伝送の回数、又は予想される伝送回数に対するこれらの伝送回数の比であってもよい。又は、リンク安定性は、メッセージによって解析された情報が、車間距離が一定時間安定していることを示すことであってもよい。
【００４４】
リンク安定性測定配置はネットワーク端から取得してもよいし、予め記憶されたネットワーク構成とリンク安定性測定配置との対応関係に基づいて確定してもよい。また、以上のように、各リンクに対して、確定ユニット１０２は割り当てられた伝送リソースに基づいてそのリンク安定性測定配置を調整してもよい。
【００４５】
車群における通信に必要な伝送リソースは例えば、車群マネージャーによってｅＮＢやＲＳＵなどのネットワーク端に要求されて取得されるものであり、車群内部において、車群マネージャーによって、取得されたた伝送リソースを割り当てる。図４に示すように、電子装置１００は、確認されたネットワーク構成に基づいて、ネットワーク端に車群にネットワーク伝送リソースを割り当てるように要求するためのリソース割り当て要求を生成するように配置される生成ユニット１０３をさらに含む。
【００４６】
一例では、生成ユニット１０３は、車群内部のリソース需要の総量を推定し、推定されたリソース需要の総量をリソース割り当て要求に含めることができる。車群内部リソース需要には、車群マネージャー／車群クラスタマネージャーによってメッセージを送信し、及び、車群クラスタマネージャー／又は車群メンバーがメッセージを返すために必要なリソースが含まれる。例えば、生成ユニット１０３はネットワーク構成、転送ノードのデータ処理モード、単位時間内に車群メンバーによって伝送される情報量のうち少なくとも１つに基づいて推定されることができる。
【００４７】
その中、転送ノードのデータ処理モードは、転送のみ又はマージ転送を含んでもよく、これら２つの方式で必要とされるリソース量は異なる。例示的に、生成ユニット１０３はネットワーク構成に基づいて、単位時間内に車群メンバによって伝送される情報量を確定することができ、その中、ネットワーク構成は単位時間内に車群メンバによって伝送される情報量と対応関係を有する。当該対応関係は例えば、車群マネージャーの記憶装置に予め記憶されてもよい。このように、ネットワーク構成を確認した後、単位時間内に車群メンバによって伝送される情報量を知ることができる。
【００４８】
また、以上のように、ＳＰＳリソース割り当て方式は、車群運転モードでの通信に適するので、生成ユニット１０３は、推定されたリソース需要の総量に基づいて１つ又は複数のＳＰＳ配置要求をリソース割り当て要求として生成することができる。一例では、各車両又は各リンクは、１つ又は複数のＳＰＳ配置を必要とする可能性があり、生成ユニット１０３は、リソース割り当て要求シグナリングに必要な情報量を低下する考慮に基づいてこれらのＳＰＳ配置をマージすることができる。マージの方法は例えば、伝送開始時間と間隔周期が同じであるＳＰＳ配置のマージ、又は、同じ周波数スペクトルリソースのＳＰＳ配置が間隔周期上でマージすることを含み、マージの結果は１つ又は複数のＳＰＳ配置要求を生発生する可能性がある。その中、各車両又は各リンクの複数のＳＰＳ配置は異なるタイプの情報のやり取りに使用されることができる。
【００４９】
別の例では、生成ユニット１０３によって生成されたリソース割り当て要求は、車群のネットワークアーキテクチャの標識及び車群規模の情報を含んでもよい。この例では、ネットワーク端はリソース割り当て要求を受信した後、車群のネットワークアーキテクチャの標識に基づいて車群のネットワークアーキテクチャを確定することができ、車群規模を結合して車群リソース需要の総量を推定することができる。言い換えれば、車群リソース需要の総量に対する推定はネットワーク端で行われる。
【００５０】
次に、ネットワーク端は車群リソース需要の総量に基づいて車群にリソースを割り当てることができ、例えば、周波数スペクトルリソースと時間配置が含まれる。ＳＰＳリソース割り当て方式が使用される場合に、ネットワーク端は１つ又は複数のＳＰＳ配置を生成することができる。
【００５１】
図４に示されないが、電子装置１００は、ネットワーク端にリソース割り当て要求を送信し、ネットワーク端からのリソース割り当て結果を受信するように配置される送受信ユニットをさらに含んでもよい。送受信ユニットは例えば、アンテナ及び対応する送受信回路などとして実現することができる。
【００５２】
理解を容易にするために、図５はネットワーク端と車群マネージャーとの間の情報やり取りのフローチャートを示した。その中、車群マネージャーは、例えば、上記した特定条件の１つに応答して車群ネットワーク構成の確認をトリガーして、リソース割り当て要求を生成し、当該リソース割り当て要求をネットワーク端（ｅＮＢ／ＲＳＵ）に送信し、ｅＮＢ／ＲＳＵは当該要求に基づいてリソース割り当てを行うと共に、車群マネージャーにリソース割り当て応答を送信する。一例では、リソース割り当て応答には、ネットワーク構成に対応するリンク安定性測定配置が含まれてもよい。
【００５３】
伝送リソースを取得した後、車群マネージャーは車群内部で伝送リソースの割り当てを行う。これに対応して、図６に示すように、電子装置１００は、車群内の伝送リソースの割り当てを実行するように配置される割り当てユニット１０４をさらに含んでもよい。
【００５４】
ネットワーク端によって割り当てられた伝送リソースが車群のリソース需要の総量と一致する場合、割り当てユニット１０４は、事前に確認されたネットワーク構成と各リンクの需要に基づいて車群メンバーに伝送リソースを割り当てる。ネットワーク端によって割り当てられた伝送リソースが車群のリソース需要の総量よりも小さい場合、確認ユニット１０１は、ネットワーク端によって実際に割り当てられたネットワーク伝送リソースに基づいて、車群のネットワーク通信のアーキテクチャなどの車群のネットワーク構成を調整し、そして、割り当てユニット１０４は調整されたネットワーク構成に基づいて車群内の伝送リソースの割り当てを行うことができる。
【００５５】
また、ネットワーク端は、車群にネットワーク伝送リソースを割り当てる際に、当該ネットワーク伝送リソースの調整可能範囲を含んでもよく、割り当てユニット１０４は、車群メンバーに伝送リソースを割り当てる際に、当該調整可能範囲を車群メンバーに通知する。例えば、当該調整可能範囲は、少なくともメッセージがリソース割り当てに合わせる範囲内で送信される頻度又は回数を低下するか、又は、元のリソース配置を復元するように調整される。又は、当該調整可能範囲は車群マネージャーによって設定することができる。
【００５６】
調整可能範囲を設置するのは、車両走行状態が安定している場合やリンク品質が良好である場合、データやり取りの頻度を低減することができ、必要な伝送リソースを低減することができるからである。
【００５７】
割り当てユニット１０４がリソースの割り当てを完了し、送受信ユニットが割り当て結果及び上記安定性測定配置を各車群メンバーに通知した後、車群のうち各メンバーは、当該割り当て結果に基づいて通信すると同時に当該安定性測定配置に基づいてリンクの安定性を測定することができる。
【００５８】
理解を容易にするために、図７は、車群マネージャーと車群メンバーとの間の情報の流れの概略図を示す。その中、車群マネージャーはネットワーク構成に基づいて、各メンバー（又は各リンク）に伝送リソースを割り当て、リソース割り当て結果を各メンバーに提供する。図７に示すリソース割り当て結果は、上記安定性測定配置及び／又はリソース調整可能範囲をさらに含んでもよい。その後、車群メンバーは当該リソース割り当て結果に基づいて、通信及びリンク安定性測定を行う。
【００５９】
さらに、図８に示すように、電子装置１００は、リンク安定性測定の結果に基づいて対応するイベントを処理するように配置されるイベント処理ユニット１０５をさらに含んでもよい。これらのイベントは例えば、リンクリソース配置調整、中断処理などを含んでもよい。
【００６０】
ここで記載されたリンク安定性測定の結果には車群メンバーのリンク安定性測定結果が含まれてもよいし、車群マネージャー又はクラスタマネージャー自身のリンク安定性測定結果が含まれてもよいことは理解されべきである。また、図に示されないが、電子装置１００は図６に示す生成ユニット１０３と割り当てユニット１０４をさらに含んでもよい。
【００６１】
例えば、リンク安定性測定の結果が現在リンク状態が良好であることを示す場合に、データやり取りの頻度を減らすことができ、そうではない場合、データやり取りの頻度を高める必要がある。また、データやり取りの頻度の調整はデータタイプによって要求される頻度範囲を満たす必要があり、例えば、走行安全に関する情報は、最低限の頻度制限を有する場合があり、データやり取りの頻度調整結果は、当該最低限の頻度制限を満たしなければならない。さらに、データやり取り頻度の調整はデータ更新能力の固有の限界を満たす必要があり、例えば、センサーにを介して車載制御システムによって処理されたデータ更新の頻度は、最高の頻度制限が存在する可能性があり、データやり取り頻度の調整結果は当該最高頻度制限を考慮し、不必要な情報やり取りを低減することができる。データやり取りの頻度が変化した場合に、伝送リソースの割り当てを変更する、即ち、リンクリソース配置調整を実行する必要がある可能性がある。そのため、割り当てユニット１０４は、リンク安定性測定結果に基づいて車群内の伝送リソースの再割り当てを実行するように配置されることができる。一例では、例えば、データやり取りの頻度を低減するか又は元のリソース配置を復元する場合などの、リソース配置の変更がリソース調整可能範囲内にある場合に、リンクの送信端装置は自分で調整することができ、リンクの受信端装置は車群マネージャー又はクラスタマネージャーに当該調整を報告することができる。又は、割り当てユニット１０４はそれに応じて当該リンクに対するリソース割り当てを調整してもよい。また、リソース配置の変更がリソース調整可能範囲外である場合、リソース再割り当ては、割り当てユニット１０４によって行われる。
【００６２】
一方、割り当てユニット１０４は車群メンバーによって伝送される情報量の変化に基づいて、車群内の伝送リソースの再割り当てを実行してもよい。例えば、車群メンバーによって伝送される情報量は、車両の走行状態及び周囲交通状態によって影響を受ける。走行状態が不安定になったり、周囲交通状態が不安定になったりする場合に、伝送される情報量は大きくなることで、割り当てユニット１０４は、これらの車両が位置するリンクの伝送リソースの割り当てを増加する必要がある。
【００６３】
リンク安定性測定結果がリンクが中断されることを示す場合に、イベント処理ユニット１０５は、中断処理を実行し、その中、リンク中断処理の策略はネットワーク構成及び／又はリンクの中断が車群走行に与えた影響の程度に依存する。リンク中断は、リンク安定性が低下した極端な状況である。例えば、一定時間連続して受信に失敗した場合や、所定回数の受信に失敗した場合には、リンクが中断されるとみなされる。リンク中断は例えば、車両間の障碍物や、他の割り込み車両があること、市道の交通信号によってリンクの一端の車両の走行が阻止されるなどの交通ルールなどによって引き起こされる可能性がある。
【００６４】
具体的に、リンクの受信端装置は、車両マネージャー又はクラスタマネージャーからのリンクが中断されることを確認する場合に、車群マネージャー又はクラスタマネージャーに中断復元要求を送信することができ、車群マネージャー又はクラスタマネージャーの中断処理応答が所定の時間内に受信された場合、直前のリンクを復元することができ、そうではない場合、リンク形式や車群のネットワーク構成を変更するか、又は、当該リンクを放棄することができ、具体的な策略は、現在のネットワーク構成及び／又はリンク中断が車群走行に与えた影響の程度に依存する。これらの策略は、最初、リンクに伝送リソースを割り当てる時に、各車群メンバーに通知されてもよい。
【００６５】
また、リンクの受信端装置が他の車群メンバーからのリンクが中断されたことを確認する場合に、同様に、中断復元要求を送信端とする当該車群メンバーに送信することができ、送信端によって送信される中断処理応答が所定の時間内に受信された場合、直前のリンクを復元することができ、そうではない場合、リンク中断を車群マネージャー又はクラスタマネージャーに報告し、車群マネージャー又はクラスタマネージャーによってさらに決定される。
【００６６】
図９は、リンク安定性測定を開始し、イベント処理をトリガーする情報の流れの概略図を示し、リンク送信端車群メンバーＡは受信端車群メンバーＢにメッセージを送信し、車群メンバーＢは受信中にリンク安定性測定を行い、所定の条件が満たされた時に対応するイベント処理をトリガーする。当該イベント処理はリンク受信端、及び／又は、車群マネージャー又はクラスタマネージャーによって実行することができる。ここで、送信側及び受信側が車群メンバーとして示されているが、これに限定されないことは理解されべきである。送信側及び受信側の一方は車群マネージャー又はクラスタマネージャーであってもよい。
【００６７】
要約すると、当該実施例による電子装置１００は、車群のネットワーク構成に対応するリンク安定性測定配置を採用してリンク安定性の測定を行うことによって、車群におけるリンクの安定性を迅速かつ正確に測定し、利用可能なリンク安定性測定結果に基づいて対応するイベントの処理を実行することができる。
【００６８】
<第２の実施例>
【００６９】
図１０は本出願の別の実施例による無線通信に用いられる電子装置２００の機能モジュールブロック図を示し、図１０に示すように、電子装置２００は、リンクに対するリンク安定性測定配置に基づいてリンク安定性の測定を行い、その中、リンクの受信端が電子装置の位置する車両（又は、具体的に、車両における車載端末）であって、リンクの送信端が車群のうち他の車両（又は、具体的に、他の車両における車載端末）であるように配置される測定ユニット２０１と、測定の結果に基づいて対応するイベントをトリガーするように配置されるイベントトリガーユニット２０２とを含む。
【００７０】
その中、測定ユニット２０１とイベントトリガーユニット２０２は、例えばチップとして実施することができる１つ又は複数の処理回路によって実現することができる。当該電子装置２００は例えば、車群メンバー又は車群マネージャーに位置することができる。
【００７１】
一例では、リンク安定性測定配置は、リンクの受信端装置が伝送されたコンテンツの受信状態に基づいてリンクの安定性を確定するために使用される。詳細について、第１の実施例では既に説明したが、ここで繰り返さない。
【００７２】
イベントトリガーユニット２０２は測定した結果に基づいてリソース配置調整イベントをトリガーしてもよい。これに対応して、図の破線のボックスに示すように、電子装置２００は、リソース配置調整要求を生成するように配置される生成ユニット２０３をさらに含んでもよい。また、図に示されないが、電子装置２００は、生成されたリソース配置調整要求を送信するための送受信ユニットをさらに含んでもよい。送受信ユニットは例えば、アンテナ及び送受信回路によって実現することができる。
【００７３】
具体的には、リンク安定性測定の結果は現在のリンクの安定性を反映することができる。リンクの安定性が良好である場合に、データ伝送の頻度を減らすことができ、それによって、伝送リソースに対する需要を低下することができる。リソース配置調整がリソース調整可能範囲内にある場合に、送信頻度を低下するか又は元のリソース配置に復元し、生成ユニット２０３はリンクの送信端に送信されるリソース配置調整要求を生成してもよい。図３のアーキテクチャｂにおけるＶ３及びＶ４などのいくつかのケースでは、送信端Ｖ１との間に直接リンクがなく、他の車両によって当該要求を中継する必要がある。リンク送信端は、当該要求を受信した後、リソース調整が行えるかどうかを確定し、結果をリソース調整応答としてリンク受信端装置に送信する。リンク受信端装置は当該リソース調整応答に基づいて、リソース調整再配置を行う。リンク両端の装置がリソース調整再配置を行った場合、リンク受信端は、調整結果を車群マネージャー又はクラスタマネージャーにレポートして、車群マネージャー又はクラスタマネージャーは当該結果に基づいて車群内部のリソース割り当てを調整するようにしてもよい。
【００７４】
一方、リソース配置調整がリソース調整可能範囲内にない場合に、例えば、送信頻度を増やしたり、送信される情報量を増やしたりし、生成ユニット２０３は、車群マネージャーがリソース再割り当てを行うように、電子装置が位置する車両の車群マネージャーに送信される調整要求を生成してもよい。
【００７５】
また、以上のように、イベントトリガーユニット２０２は伝送する必要のある情報量の変化に基づいてリソース配置調整イベントをトリガーしてもよい。伝送する必要のある情報には例えば、車両位置、速度、加速度などの車両走行のパラメータ、及び周囲交通状態測定結果などが含まれてもよい。情報量は車両走行状態及び周囲交通状態の影響を受け、両方が比較適安定している場合に、情報量が減少し、両方が不安定である場合に、情報量が増加する。
【００７６】
理解を容易にするために、図１１は、リソース配置調整の情報の流れの概略図を示した。その中、リンク受信端車群メンバーＢでは、リンク安定性測定結果又は伝送する必要な情報量の変化に基づいてリソース配置調整をトリガーして、リソース配置調整要求を生成してリンク送信端車群メンバーＡに送信する。車群メンバーＡは当該要求を処理し、リソース調整応答を生成して車群メンバーＢに送信する。車群メンバーＢは当該応答に基づいてリソース調整再配置を行い、リソース調整の結果を車群マネージャーにレポートする。車群マネージャーと車群メンバーは図１１に２つのエンティティとして示されたが、リンク送信端が車群マネージャーであってもよく、両方をマージすることができることは理解されるべきである。また、リンク受信端は車群マネージャーであってもよく、この場合、リソース調整結果を報告する必要がない。
【００７７】
イベントトリガーユニット２０２は、測定の結果に基づいてリンク中断処理イベントをトリガーしてもよい。以上のように、一定時間連続して受信に失敗した場合や、所定回数の受信に失敗した場合には、リンクは中断したとみなされる。リンク中断処理では、まず、リンク復元の試みを行い、試みが失敗した場合、所定の策略に従って中断処理を行う。その中、リンク中断処理の策略は、当該リンクの中断が車群走行に影響を与える程度及び／又は車群のネットワーク構成に依存する。当該策略は、車群マネージャーが当該リンクに伝送リソースを割り当てる時又は安定性測定配置を行う時に一緒にリンクの受信端に通知することができる。
【００７８】
例えば、いくつかのリンクが中断された場合、図３のアーキテクチャａからｃにおける車群マネージャーからのブロードキャストリンクのように、車群が走行することができない。この場合に、中断処理策略は、リンク受信端の車両を車群から除外し、それに応じて車群のネットワークアーキテクチャを調整する可能性があり、図３のアーキテクチャｃにおけるＶ２→Ｖ３のように、リンクが中断されても車群が依然として走行することがあり、パフォーマンスのみに影響を与える可能性がある。この場合に、中断策略は、未処理のままであるか、又は、車群マネージャーやクラスタマネージャーが実際の状況によってさらに決定する可能性がある。
【００７９】
また、生成ユニット２０３は、車群のマネージャーに通知するための、中断処理結果が含まれる報告を生成してもよい。当該通知を行うリンクは、リンク受信端から車群マネージャーへの直接リンク、車群における車群マネージャーに到達する間接リンクであってもく、又は、ネットワーク端（ｅＮＢ／ＲＳＵ）によって転送される。これは、中断処理後のリンク受信端の車両の走行方式及び通信状態に依存する。
【００８０】
理解を容易にするために、例として、図１２は、中断処理の情報の流れの概略図を示した。その中、リンク受信端によって中断処理をトリガーして中断処理要求を生成し、同時にタイマーを開始し、中断処理要求をリンク送信端に送信し、リンク送信端は中断処理を行って中断処理応答を送信し、リンク受信端が中断処理の終了前に当該中断処理応答を受信した場合、通信を復元することができ、そうではない場合、通信を復元することができない。その後、リンク受信端は中断処理の結果を車群マネージャーにレポートする。車群マネージャーとリンク送信端が図１２に、２つの別々のエンティティとして示されるが、リンク送信端が車群マネージャーであってもよく、両方をマージすることができることに注意すべきである。また、リンク受信端は車群マネージャーであってもよく、この場合、中断処理結果を報告する必要がない。
【００８１】
以下、異なるネットワーク通信のアーキテクチャで異なるリンクが中断された時の処理の例を示す。
【００８２】
第１の例では、Ｖ１→Ｖｍ+１のようなアーキテクチャｅにおけるクラスタマネージャー間の後方リンクは中断される。図１２のフローによれば、リンク受信端クラスタマネージャーＶｍ+１は中断処理をトリガーして、中断処理要求を生成し、タイマーＴｉｍｅｒ１を開始し、リンクＶｍ+１→Ｖ１によってリンク送信端クラスタマネージャーＶ１に中断処理要求を送信し、Ｖ１が要求を受信した後、中断復元処理を行うと共に中断処理応答を送信する。Ｔｉｍｅｒ１が満了する前に、リンク受信端クラスタマネージャーＶｍ+１が中断処理応答を受信するか、又は、Ｖ１からのデータを受信する場合、元の車群方式を引き続き使用して走行し、正常通信に復元し、Ｔｉｍｅｒ１が満了する前にリンクを復元できない場合、元の車群はＶ１とＶｍ+１をそれぞれ車群マネージャーとして機能する２つの車群に分割される。その中、Ｖｍ+１車群のうちメンバー情報は、以前の走行中に車群マネージャーＶ１によって周期的に他のクラスタマネージャーに対して更新してもよく、Ｖｍ+１によって路側装置から取得してもよい。この場合、リンク受信端クラスタマネージャーＶｍ+１はネットワーク端（ｅＮＢ／ＲＳＵ）が中断処理結果を転送することによって車群マネージャーＶｍに報告する。以上の処理は同様に、アーキテクチャｅにおけるクラスタマネージャー間の前方リンクは例えば、Ｖｍ+１→Ｖ１が中断されるか又は２つのリンクがいずれも中断されるのに適し、又は、アーキテクチャｄにおける隣接するメンバー間の前方又は後方リンクが中断されるのに適する。
【００８３】
第２の例では、Ｖ１→Ｖ３のようなアーキテクチャａからｃにおける車群マネージャーとメンバーとの間の後方リンクは中断される。図１２のフローによれば、リンク受信端メンバーＶ３は中断処理をトリガーし、中断処理要求を生成し、タイマーＴｉｍｅｒ２を開始し、前方リンクを介してリンク送信端車群マネージャーＶ１に中断処理要求を送信し、Ｖ１は要求を受信した後、中断復元処理を行うと共に中断処理応答を送信する。Ｔｉｍｅｒ２が満了する前に、Ｖ３は中断処理応答を受信するか又はＶ１からのデータを受信する場合、元の車群方式を引き続き使用して走行し、正常通信に復元し、Ｔｉｍｅｒ２が満了する前にリンクを復元できない場合、次のような具体的なアーキテクチャ処理に依存し、即ち、アーキテクチャａでは、Ｖ３は独立した走行状態に移行し、Ｖ１がメンバー情報を更新し、アーキテクチャｂでは、Ｖ３は独立した走行状態に移行し、Ｖ１、Ｖ４と車群のうち他の近隣とが前方リンクを確立するための通知を送信し、アーキテクチャｃでは、Ｖ３は独立した走行状態に移行し、Ｖ１はＶ４と車群のうち他の近隣とが双方向リンクを確立するための通知を送信する。この場合、リンク受信端メンバーＶ３はネットワーク端によって中断処理結果を転送して車群マネージャーＶ１に報告する。上記処理が同様に、アーキテクチャａからｃの前方リンクにも適している。
【００８４】
第３の例では、Ｖ２→Ｖ３のようなアーキテクチャｃにおける隣接するメンバーの間の後方リンクは中断される。図１２のフローによれば、リンク受信端メンバーＶ３は中断処理をトリガーして、中断処理要求を生成すると共に、タイマーＴｉｍｅｒ３を開始し、前方リンクを介してリンク送信端メンバーＶ２に中断処理要求を送信し、Ｖ２は要求を受信して、中断復元処理を行うと共に中断処理応答を送信する。Ｔｉｍｅｒ３が満了する前に、リンク受信端メンバーＶ３が中断処理応答を受信するか、又はＶ２からのデータを受信する場合、元の車群方式を引き続き使用して走行し、正常通信に復元し、Ｔｉｍｅｒ３が満了する前にリンクが復元できない場合、Ｖ３は前方リンクを介して車群マネージャーに当該リンク中断を報告し、車群マネージャーは、さらに決定する。
【００８５】
要約すると、当該実施例による電子装置１００は、車群のネットワーク構成に対応するリンク安定性測定配置を採用してリンク安定性の測定を行うことによって、車群におけるリンクの安定性を迅速かつ正確に測定し、安定性測定結果に基づいて、対応するイベントをトリガーすることができる。
【００８６】
<第３の実施例>
【００８７】
図１３は、本出願の別の実施例による無線通信に用いられる電子装置３００の機能モジュールブロック図を示し、図１３に示すように、電子装置３００は、車群メンバーの感知動作に関するパラメータを取得するように配置される取得ユニット３０１と、当該パラメータに基づいて、車群のうち複数の車群メンバーに対する感知配置を生成し、複数の車群メンバーが感知配置に基づいて、協調感知を行うように配置される生成ユニット３０２とを含む。
【００８８】
その中、取得ユニット３０１と生成ユニット３０２は、例えばチップとして実施され得る１つ又は複数の処理回路によって実現することができる。当該電子装置３００は例えば、車群マネージャーに配置されることができる。
【００８９】
Ｖ２Ｘでは、車両感知周波数スペクトルリソースでの信号強度はリソース使用の繁忙程度を判断するためのであり、送信端のパラメータ配置を調整するのを支援する。単一のネットワークノードに基づく感知と決定システムは、高度な運転スタイルのニーズを満たすことができなく、先進的な車群運転方式の実際のニーズに合わせた感知技術を提供する必要がある。
【００９０】
本実施例では、信号のフェージングの影響を克服し、迅速な感知を行うために、使用了協調感知方式が用いられる。言い換えれば、車群のうち複数のメンバーによって共同で周波数スペクトルリソースを感知して、情報やり取りによって最終的な感知結果を取得する。協調感知は、周波数領域及び／又は時間領域における複数の車群メンバーの協調であってもよい。
【００９１】
協調感知では、感知に関与する車群メンバー及び感知に関与する各車群メンバーの感知配置を確定する必要がある。感知配置は例えば、感知に関与する車群メンバー、感知される周波数スペクトル範囲と時間範囲、感知結果の報告、結果の報告に用いられるリソース配置のうち１つ又は複数を含む。具体的に、感知に関与する車群メンバーは、どの車群メンバーが感知に関与するかを指定し、感知される周波数スペクトル範囲と時間範囲は、各協調車群メンバーによって感知される対象を指定し、感知結果の報告は、バイナリの知覚結果を使用する報告、直接エネルギーサンプリング結果報告、エネルギー量子化結果報告などの感知結果レポートの形式を指定し、異なる形式に含まれた情報量は異なり、結果の報告に用いられるリソース配置は、レポートに使用される伝送リソースを指定する。その中、協調感知の総的感知周波数スペクトルはネットワーク端によって車両マネージャーに指定されたリソースのセットであってもよく、車両マネージャーが利用可能なリソースプールであってもよい。
【００９２】
本実施例では、生成ユニット３０２は、感知動作に関するパラメータに基づいて、上記感知配置を生成する。これらのパラメータは取得ユニット３０１によってネットワーク端又は車群メンバーから取得される。例として、感知動作に関するパラメータは、非相関距離、有效な感知ノードの数、車群メンバー感知能力、車群メンバーの位置のうち１つ又は複数を含んでもよい。
【００９３】
その中、非相関距離と有效な感知ノードの数は、ネットワーク端への要求によって取得されることができる。これらのパラメータの要求について、ネットワーク端にそれぞれ単独で送信されてもよいし、交通環境情報要求に含まれてネットワーク端に送信されてもよい。
【００９４】
協調感知性能に影響を与える２つの主な要因は、同じ周波数スペクトルを感知する感知ノードの数及び互いの間の距離である。感知ノードが多くすぎると、エネルギー消費が大きくなるので、その数は、有效な感知ノードの数で制限される。一方、感知ノードは互い遠く離れておらず、シャドー相関性に抵抗することができない。当該相関性は、伝搬環境の影響を受け、一般的な方法では指数関数Ｒ（ｄ）＝ｅ−ａｄとして記述され、その中、ｄは感知ノード間の距離(ｍ)を表し、ａは環境のパラメータを表し、例えば、都市の非視線(ｏｎ-ｌｉｎｅ-ｏｆ-ｓｉｇｈｔ)環境では、ａ≒０.１２０４／ｍであり、郊外環境ではａ≒０.００２／ｍであり、ｅは自然の定数である。非相関距離ｄ０は、シャドー相関性をある所定の閾値以下にする最小距離と定義することができる。従って、非相関距離は、ネットワーク端（ｅＮＢ又はＲＳＵ）によって環境要因に基づいて車群マネージャーに対して直接配置されてもよい。或いは、計算モデルを予め設定し、ネットワーク端は車群マネージャーに対して環境パラメータと閾値を配置し、車群マネージャーが非相関距離を単独で計算する。また、ネットワーク端又は車群マネージャーは、平均値又は事前に設定した静的値を非相関距離として使用してもよい。
【００９５】
また、車群メンバー感知能力及び車群メンバーの位置は車群メンバーから取得することができる。その中、車群メンバー感知能力の情報は、当該車群メンバーが車群に加入する時に加入要求と共に車群マネージャーにレポートすることができる。図１４は、対応する情報の流れを示した。その中、加入する車両Ａは車群発見プロセスによって、車群を発見して加入しようとし、車両Ａは、車群加入要求を目標車群マネージャーに送信し、その中、感知能力を標識する関連パラメータが含まれてもよく、これらのパラメータは例えば、受信感度及び調整可能範囲を含み、車群マネージャーは、当該車両が加入できるかどうか、車群システムが調整を必要するかどうかを決定し、車群マネージャーは車群加入応答によって、決定結果を車両Ａに通知し、加入が許可される場合、応答には、加入の配置が含まれ、両方は後続の動作を完了し、そうではない場合、加入が許可されない。車両Ａの加入が車群システム配置に影響を与える場合、車群マネージャーは、調整された配置を影響を受けた車群メンバーＢに送信する必要がある。また、車群マネージャーが変更された場合、車群メンバー情報は、元の車群マネージャーによって転送されるか、又は、車群メンバーの再報告の形式によって新しい車群マネージャーに通知されることができる。又は、車群メンバー情報はＲＳＵにバックアップされ、ＲＳＵによって新しい車群マネージャーに転送される。
【００９６】
生成ユニット３０２は、上述した各種パラメータを総合的に考慮して、適切な感知配置を生成する。協調に関与する車群メンバーは、それぞれの感知配置に基づいて感知を行って、感知された結果を車群マネージャーに提供する。
【００９７】
一例では、感知結果の報告の形式は、少なくとも、リンク安定性測定の結果に依存するように配置される。以上のように、感知結果の報告の異なる形式は、異なる量の情報量を有する可能性があるので、当該報告形式は、取得する必要のある情報、報告に用いられるリソース配置に基づいて決定される。目標周波数スペクトル範囲に信号強度があるかどうかを単純に判断するだけでない場合、又は、報告のリソースが極端に制限されている場合、又はリンク安定性が悪い場合は、バイナリの知覚結果のみを報告するなどの単純な報告形式を使用することができる。
【００９８】
また、感知結果報告に用いられるリソース配置について、１つの設計は、一部の車群メンバーが感知する時に、他の部分の車群メンバーが結果レポートを行うものであり、これにより、結果レポートのリソースが競合することを防ぐことができる。この場合に、感知結果の正確さを保証するために、感知に用いられる周波数スペクトルとレポートに用いられる周波数スペクトルとの間に、帯域内又は帯域外のリークによる干渉が含まれた干渉が存在してはならない。
【００９９】
それに対応して、図１３の破線のボックスに示すように、電子装置３００は、車群のネットワーク構成に対応するリンク安定性測定配置を確定するように配置される確定ユニット３０３をさらに含んでもよく、当該リンク安定性測定配置は、リンクの受信端装置が伝送されたコンテンツの受信状態に基づいてリンクの安定性を確定するのに使用される。リンク安定性測定配置の詳細について、第１の実施例で説明したので、ここで繰り返さない。
【０１００】
また、直接エネルギーサンプリング結果及びエネルギー量子化情報は車群に対する目標周波数スペクトルの使用者の位置などの追加情報を提供することができる。これに対応して、確定ユニット３０３は、協調感知の結果に基づいて、車群に対する感知された周波数スペクトルの使用者の位置を確定するように配置されることもできる。
【０１０１】
図１５は、協調感知の結果に基づいて、車群に対する感知された周波数スペクトルの使用者の位置を確定する適用の一例を示した。その中、Ｖ１、Ｖ２、Ｖ３は、車群を構成する３台の車であり、その中、Ｖ１は車群マネージャーであり、車群によって感知されている目標周波数スペクトルは、車両Ｖａによって使用されている。(１)〜(３)は車両Ｖａの３つの異なる位置である。矢印付きの破線は無線信号の伝搬経路を表している。例えば、位置(１)において、Ｖａと車両Ｖ１〜Ｖ３との経路差は、Ｖ１〜Ｖ３で感知されたエネルギーのレベルの差に繋がり、例えば、最高のエネルギーはＶ１で感知され、最低のエネルギーはＶ３で感知されている。同様に、Ｖａが位置(２)にある場合、Ｖ２で感知されたエネルギーは最高であり、Ｖ１とＶ３は近づいている。Ｖａが位置(３)にある場合、Ｖ３で感知されたエネルギーが最高であり、Ｖ１で最低である。そのため、Ｖ１〜Ｖ３で感知されたエネルギーの結果の比較によって、Ｖａの位置と車群との位置関係を推定することができる。車群に対する目標車両の位置を推定することが望まれる場合、協調感知する車両は、同じ時間範囲内で感知を行う必要があるので、感知配置における対応周波数スペクトル範囲は、感知時間範囲を設定する必要があることが分かる。また、感知目標周波数スペクトルを使用している車両が多い場合、感知結果に基づいて確定したのは、ある車両と車群との相対的な位置ではなく、車群に対する複数の車両リソースで使用される重合エネルギーの位置である。
【０１０２】
要約すると、本実施例による電子装置３００は、複数の車群メンバーが協調感知を実現するように、各車群メンバーに対する感知配置を生成することによって、感知の精度及び速度を向上させる。
【０１０３】
<第４の実施例>
【０１０４】
上記実施態様では電子装置について説明した過程では、いくつかの処理又は方法が明らかに開示されている。以下、これらの方法の概要については既に説明した事項の一部を繰り返すことなく説明するが、注意すべきことは、これらの方法は電子装置の説明に開示されるが、必ずしもこれらの構成要素を使用するか、又はこれらの構成要素によって実行するものではない。例えば、電子装置の実施態様は、ハードウェア及び／又はファームウェアによって部分的又は完全に実現されてもよく、以下に説明する方法は、電子装置のハードウェア及び／又はファームウェアを使用することができるが、コンピューター実行可能プログラムによって完全的に実現することもできる。
【０１０５】
図１６は、本出願の一実施例による無線通信に用いられる方法のフローチャートを示した。当該方法は、車群のネットワーク構成を確認することと（Ｓ１１）、前記ネットワーク構成に対応するリンク安定性測定配置を確定することと（Ｓ１３）を含み、前記リンク安定性測定配置は、リンクの受信端装置が伝送されたコンテンツの受信状態に基づいて前記リンクの安定性を確定するために使用される。
【０１０６】
例えば、上記方法は、所定の時間が経過したことと、車群規模変更、車群メンバーの情報やり取り需要変更と、利用可能なネットワーク伝送リソース変更のうち少なくとも１つに応答して実行する。
【０１０７】
車群のネットワーク構成は、車群規模、車群形式、ネットワーク通信のアーキテクチャのうち１つ又は複数を含んでもよい。例として、車群のネットワーク通信のアーキテクチャは、１）車群マネージャーが車群メンバーに情報をブロードキャストし、車群メンバーがシングルホップリンクを介して車群マネージャーに情報を送信することと、２）車群マネージャーが車群メンバーに情報をブロードキャストし、車群メンバーが隣接する車群メンバー間の一方向リンクを使用して車群マネージャーに情報を送信することと、３）車群マネージャーが車群メンバーに情報をブロードキャストし、隣接する車群メンバーの間に双方向リンクがあることと、４）隣接する車群メンバー間が双方向リンクを介して情報をやりとることと、５）車群が複数のクラスタに分割され、隣接するクラスタマネージャーの間が双方向リンクを介して情報をやり取り、各クラスタがそれぞれ１）から４）のいずれかで配置されることとのうち少なくとも１つを含んでもよい。
【０１０８】
図１６の破線のボックスに示すように、上記方法は、確認されたネットワーク構成に基づいて、ネットワーク端に車群にネットワーク伝送リソースを割り当てるように要求するためのリソース割り当て要求を生成するステップＳ１２をさらに含んでもよい。ステップＳ１２では、車群内部のリソース需要の総量を推定し、リソース割り当て要求に推定されたリソース需要の総量を含めてもよい。例えば、ネットワーク構成、転送ノードのデータ処理モード、単位時間内に車群メンバーによって伝送される情報量のうち少なくとも１つに基づいて推定してもよい。その中、ネットワーク構成に基づいて、単位時間内に車群メンバーによって伝送される情報量を確定することができ、その中、ネットワーク構成は単位時間内に車群メンバーによって伝送される情報量と対応関係を有している。例として、推定されたリソース需要の総量に基づいて、１つ又は複数の半永続スケジューリング配置要求をリソース割り当て要求として生成してもよい。
【０１０９】
又は、リソース割り当て要求は、車群のネットワーク通信のアーキテクチャの標識及び車群規模の情報を含んでもよく、ネットワーク端はこれらの情報に基づいてリソース需要の総量の推定を行う。
【０１１０】
図１６の別の破線のボックスに示すように、上記方法は、実際にネットワーク端によって割り当てられたネットワーク伝送リソースに基づいて、車群のネットワーク構成を調整し、調整されたネットワーク構成に基づいて車群内の伝送リソース割り当てを行うステップＳ１４をさらに含んでもよい。
【０１１１】
また、割り当てられたネットワーク伝送リソースの調整可能範囲をネットワーク端から取得して、ネットワーク伝送リソースを車群メンバーに割り当てる際に、前記車群メンバーに当該調整可能範囲を通知してもよい。
【０１１２】
その中、ステップＳ１３におけるリンク安定性測定配置はネットワーク端から取得するか、又は、予め記憶されたネットワーク構成とリンク安定性測定配置との対応関係に基づいて確定することができる。例えば、リンク安定性測定配置は、リンク伝送モードとリンク安定性との対応関係を含む。リンク伝送モードは、所定の時間内にリンク上で伝送を実行する回数を含み、リンク安定性は、固定期間に成功した受信の回数又は割合を含んでもよい。
【０１１３】
各リンクに割り当てられた伝送リソースに基づいて、対応する車群メンバーに提供するための、当該リンクに対するリンク安定性測定配置を確定してもよい。
【０１１４】
図１６の別の破線のボックスに示すように、上記方法は、リンク安定性測定の結果に基づいて対応するイベントを処理するステップＳ１５をさらに含んでもよい。例えば、リンク安定性測定結果及び／又は車群メンバーによって伝送される情報量の変化に基づいて、車群内の伝送リソースの再割り当てを実行することができる。リンク安定性測定結果に基づいて、リンク中断処理を実行することができ、その中、リンク中断処理の策略はネットワーク構成及び／又はリンク中断が車群走行に与えた影響の程度に依存する。
【０１１５】
図１７は、本出願の別の実施例による無線通信に用いられる方法のフローチャートを示した。当該方法は、リンクに対するリンク安定性測定配置に基づいてリンク安定性の測定を行い（Ｓ２１）、その中、リンクの受信端が電子装置の位置する車両であって、リンクの送信端が車群のうち他の車両であることと、測定の結果に基づいて対応するイベントをトリガーすることと（Ｓ２２）を含む。
【０１１６】
例えば、ステップＳ２２では、測定の結果に基づいてリソース配置調整イベントをトリガーする。リソース配置調整イベントは、伝送する必要のある情報量の変化に基づいてトリガーされてもよい。リソース配置調整が調整可能範囲内にある時に、リンクの送信端に送信される調整要求を生成し、リソース配置調整が調整可能範囲内にない時に、車群マネージャーに送信される調整要求を生成する。
【０１１７】
ステップＳ２２では、測定の結果に基づいてリンク中断処理イベントをトリガーしてもよい。その中、リンク中断処理の策略は、リンクの中断が車群走行に与えた影響の程度及び／又は車群のネットワーク構成に依存する。
【０１１８】
上記方法は、車群のマネージャーに通知するための、リソース調整結果が含まれる報告又は中断処理結果が含まれる報告を生成することをさらに含んでもよい。
【０１１９】
図１８は、本出願の別の実施例による無線通信に用いられる方法のフローチャートを示した。当該方法は、車群メンバーの感知動作に関するパラメータを取得することと（Ｓ３１）、当該パラメータに基づいて車群のうち複数の車群メンバーに対する感知配置を生成して、複数の車群メンバーが当該感知配置に基づいて協調感知を行うことと（Ｓ３２）、を含む。
【０１２０】
その中、上記パラメータは、非相関距離、有效感知ノードの数、車群メンバー感知能力、車群メンバーの位置のうち１つ又は複数を含んでもよい。感知配置は、感知に関与する車群メンバー、感知される周波数スペクトル範囲と時間範囲、感知結果の報告、結果の報告に用いられるリソース配置のうち１つ又は複数を含んでもよい。
【０１２１】
図に示されないが、上記方法は、車群のネットワーク構成に対応するリンク安定性測定配置を確定することをさらに含んでもよく、リンク安定性測定配置は、リンクの受信端装置が伝送されたコンテンツの受信状態に基づいてリンクの安定性を確定するのに使用される。その中、感知結果の報告の形式は、少なくともリンク安定性測定の結果に依存するように配置される。
【０１２２】
図１８の破線のボックスに示すように、上記方法は、協調感知の結果に基づいて、車群に対する感知された周波数スペクトルの使用者の位置を確定することをさらに含んでもよい。
【０１２３】
なお、上述した各方法は、組み合わせて用いてもよいし、単独で用いてもよく、その詳細については第１から第３の実施例で詳細に説明したので、ここでは繰り返さない。
【０１２４】
本開示の技術は各種の製品に適用できる。例えば、電子装置１００-３００は端末装置として実現することができる。端末装置は、携帯端末(例えばスマートフォン、タブレットパーソナルコンピューター(ＰＣ)、ノートＰＣ、携帯ゲーム端末、ポータブル／ドングルモバイルルーターとデジタル撮影装置など)又は車載端末(例えば、車載ユーザー装置（Ｖｅｈｉｃｌｅ Ｕｓｅｒ Ｅｑｕｉｐｍｅｎｔ, ＶＵＥ）、インテリジェントカー制御システム、カーナビゲーション装置など)として実現することができる。これらの車載端末は、内蔵又は外付け可能である。端末装置はマシンツーマシン(Ｍ２Ｍ)通信を実行する端末(マシンタイプ通信(ＭＴＣ)端末とも呼ばれる)として実現することもできる。なお、ユーザー装置は、上記端末のうちの各端末に搭載された無線通信モジュール(例えば単一チップを含む集積回路モジュール)であってもよい。
【０１２５】
[端末装置の適用例について]
【０１２６】
（第１の適用例）
【０１２７】
図１９は本開示の技術を適用できるスマートフォン９００の概略構成の例を示すブロック図である。スマートフォン９００はプロセッサ９０１、メモリ９０２、記憶装置９０３、外部接続インターフェース９０４、撮影装置９０６、センサ９０７、マイク９０８、入力装置９０９、表示装置９１０、スピーカ９１１、無線通信インターフェース９１２、１つ又は複数のアンテナスイッチ９１５、１つ又は複数のアンテナ９１６、バス９１７、バッテリ９１８及び補助コントローラ９１９を含む。
【０１２８】
プロセッサ９０１は例えばＣＰＵ又はシステムオンチップ(ＳｏＣ)であり、スマートフォン９００のアプリケーション層と他の層の機能を制御することができる。メモリ９０２はＲＡＭとＲＯＭを含み、データとプロセッサ９０１によって実行されるプログラムが記憶される。記憶装置９０３は例えば半導体メモリとハードディスクのような記憶媒体を含むことができる。外部接続インターフェース９０４は外部装置(例えばメモリカードとユニバーサルシリアルバス(ＵＳＢ)装置)をスマートフォン９００に接続するためのインターフェースである。
【０１２９】
撮影装置９０６はイメージセンサー(例えば電荷結合デバイス(ＣＣＤ)と相補型金属酸化物半導体(ＣＭＯＳ))を含み、撮影した画像を生成する。センサー９０７は例えば測定センサー、ジャイロセンサ、地磁気センサ及び加速度センサのような１組みのセンサーを含んでもよい。マイク９０８はスマートフォン９００に入力された音をオーディオ信号に変換する。入力装置９０９は例えば表示装置９１０のスクリーン上のタッチを検出するように構成されるタッチセンサー、キーパッド、キーボード、ボタン又はスイッチを含み、ユーザーから入力された動作又は情報を受信する。表示装置９１０はスクリーン(例えば液晶ディスプレイ(ＬＣＤ)と有機発光ダイオード(ＯＬＥＤ)ディスプレイ)を含み、スマートフォン９００の出力画像を表示する。スピーカ９１１はスマートフォン９００から出力したオーディオ信号を音に変換する。
【０１３０】
無線通信インターフェース９１２は任意のセルラー通信方式(例えば、ＬＴＥ和ＬＴＥ-先進)をサポートし、無線通信を実行する。無線通信インターフェース９１２は通常、例えばＢＢプロセッサ９１３とＲＦ回路９１４を含むことができる。ＢＢプロセッサ９１３は例えば、シンボル化／復号化、変調／復調、多重化／多重化解除を実行するとともに、無線通信のための各種のタイプの信号処理を実行することができる。同時に、ＲＦ回路９１４は例えばミキサ、フィルタ、増幅器を含んで、アンテナ９１６を介して無線信号を送受信することができる。無線通信インターフェース９１２はその上にＢＢプロセッサ９１３とＲＦ回路９１４が集積化される１つのチップモジュールであってもよい。図１９に示すように、無線通信インターフェース９１２は複数のＢＢプロセッサ９１３と複数のＲＦ回路９１４を含んでもよい。図１９に、無線通信インターフェース９１２に複数のＢＢプロセッサ９１３と複数のＲＦ回路９１４が含まれる例を示したが、無線通信インターフェース９１２は単一のＢＢプロセッサ９１３又は単一のＲＦ回路９１４を含んでもよい。
【０１３１】
なお、セルラー通信方式の以外、無線通信インターフェース９１２は、例えば短距離無線通信方式、近接通信方式や無線ローカルネットワーク(ＬＡＮ)方式などの別タイプの無線通信方式をサポートすることができる。この場合、無線通信インターフェース９１２は各種の無線通信方式に対するＢＢプロセッサ９１３とＲＦ回路９１４を含んでもよい。
【０１３２】
アンテナスイッチ９１５のそれぞれは無線通信インターフェース９１２に含まれる複数の回路(例えば異なる無線通信方式に使用される回路)間でアンテナ９１６の接続先を切り替える。
【０１３３】
アンテナ９１６のそれぞれは単一又は複数のアンテナ素子(例えばＭＩＭＯアンテナに含まれた複数のアンテナ素子)を含んで、無線通信インターフェース９１２の無線信号の送受信に使用される。図１９に示すように、スマートフォン９００は複数のアンテナ９１６を含んでもよい。図１９に、スマートフォン９００に複数のアンテナ９１６が含まれる例を示したが、スマートフォン９００は単一のアンテナ９１６を含んでもよい。
【０１３４】
なお、スマートフォン９００は各種の無線通信方式に対するアンテナ９１６を含んでもよい。この場合に、アンテナスイッチ９１５はスマートフォン９００の配置から省略されてもよい。
【０１３５】
バス９１７はプロセッサ９０１、メモリ９０２、記憶装置９０３、外部接続インターフェース９０４、撮像装置９０６、センサー９０７、マイク９０８、入力装置９０９、表示装置９１０、スピーカ９１１、無線通信インターフェース９１２及び補助コントローラ９１９を互いに接続する。バッテリ９１８は給電線によって図１９に示すスマートフォン９００の各ブロックに電力を提供し、給電線は図面において部分的に点線によって表される。補助コントローラ９１９は例えば睡眠モードでスマートフォン９００の最少の必要な機能を動作する。
【０１３６】
図１９に示すスマートフォン９００では、第１から第３の実施例で説明した送受信ユニットは無線通信インターフェース９１２によって実現することができる。機能の少なくとも一部はプロセッサ９０１又は補助コントローラ９１９によって実現することができる。例えば、プロセッサ９０１又は補助コントローラ９１９は、確認ユニット１０１と確定ユニット１０２の機能を実行することによってネットワーク構成の確認及びリンク安定性測定配置の確定を行うことができ、測定ユニット２０１とトリガーユニット２０２の機能を実行することによって、リンク安定性の測定と対応するイベントのトリガーを行うことができ、取得ユニット３０１と生成ユニット３０２の機能を実行することによって、協調感知に用いられる感知配置を生成することができる。
【０１３７】
（第２の適用例）
【０１３８】
図２０は本開示の技術を適用できるカーナビゲーション装置９２０の概略構成の例を示すブロック図である。カーナビゲーション装置９２０はプロセッサ９２１、メモリ９２２、全球位置決めシステム(ＧＰＳ)モジュール９２４、センサ９２５、データインターフェース９２６、コンテンツプレーヤー９２７、記憶媒体インターフェース９２８、入力装置９２９、表示装置９３０、スピーカ９３１、無線通信インターフェース９３３、１つ又は複数のアンテナスイッチ９３６、１つ又は複数のアンテナ９３７及びバッテリ９３８を含む。
【０１３９】
プロセッサ９２１は例えばＣＰＵ又はＳｏＣであり、カーナビゲーション装置９２０のナビゲーション機能と他の機能を制御することができる。メモリ９２２はＲＡＭとＲＯＭを含み、データとプロセッサ９２１によって実行されたプログラムを記憶する。
【０１４０】
ＧＰＳモジュール９２４はＧＰＳ衛星から受信したＧＰＳ信号を使用してカーナビゲーション装置９２０の位置(例えば、緯度、経度、高度)を測定する。センサー９２５は例えばジャイロセンサ、地磁気センサ及び気圧センサなどの１組みのセンサーを含んでもよい。データインターフェース９２６は図示しない端末を介して例えば車のネットワーク９４１に接続し、車両が生成したデータ(例えば、車速データ)を取得する。
【０１４１】
コンテンツプレーヤー９２７は記憶媒介(例えば、ＣＤとＤＶＤ)に記憶されたコンテンツを再生して、この記憶媒介は記憶媒介インターフェース９２８に挿入される。入力装置９２９は例えば表示装置９３０のスクリーン上のタッチを検出するように構成されるタッチセンサー、ボタン又はスイッチを含み、ユーザーから入力された動作又は情報を受信する。表示装置９３０は例えばＬＣＤやＯＬＥＤディスプレイのスクリーンを含み、ナビゲーション機能の画像又は再生されたコンテンツを表示する。スピーカ９３１はナビゲーション機能の音又は再生されたコンテンツを出力する。
【０１４２】
無線通信インターフェース９３３は任意のセルラー通信方式(例えば、ＬＴＥ和ＬＴＥ−先進)をサポートし、無線通信を実行することができる。無線通信インターフェース９３３は通常、例えばＢＢプロセッサ９３４とＲＦ回路９３５を含むことができる。ＢＢプロセッサ９３４は、例えばシンボル化／復号化、変調／復調、及び多重化／多重化解除を実行すると共に、無線通信に使用される各種のタイプの信号処理を実行することができる。同時に、ＲＦ回路９３５は例えばミキサ、フィルタ、増幅器を含んで、アンテナ９３７を介して無線信号を送受信することができる。無線通信インターフェース９３３はその上にＢＢプロセッサ９３４とＲＦ回路９３５が集積化される１つのチップモジュールであってもよい。図２０に示すように、無線通信インターフェース９３３は複数のＢＢプロセッサ９３４と複数のＲＦ回路９３５を含んでもよい。図２０に、無線通信インターフェース９３３に複数のＢＢプロセッサ９３４と複数のＲＦ回路９３５が含まれた例を示したが、無線通信インターフェース９３３は単一のＢＢプロセッサ９３４又は単一のＲＦ回路９３５を含んでもよい。
【０１４３】
なお、セルラー通信方式の以外、無線通信インターフェース９３３は、例えば短距離無線通信方式、近接通信方式と無線ＬＡＮ方式などの別タイプの無線通信方式をサポートすることができる。この場合、各種の無線通信方式に対して、無線通信インターフェース９３３はＢＢプロセッサ９３４とＲＦ回路９３５を含んでもよい。
【０１４４】
アンテナスイッチ９３６のそれぞれは無線通信インターフェース９３３に含まれる複数の回路(例えば異なる無線通信方式に使用される回路)間でアンテナ９３７の接続先を切り替える。
【０１４５】
アンテナ９３７のそれぞれは単一又は複数のアンテナ素子(例えばＭＩＭＯアンテナに含まれる複数のアンテナ素子)を含み、無線通信インターフェース９３３の無線信号の送受信に使用される。図２０に示すように、カーナビゲーション装置９２０は複数のアンテナ９３７を含んでもよい。図２０に、カーナビゲーション装置９２０に複数のアンテナ９３７が含まれる例を示したが、カーナビゲーション装置９２０は単一のアンテナ９３７を含んでもよい。
【０１４６】
なお、カーナビゲーション装置９２０は各種の無線通信方式に対するアンテナ９３７を含んでもよい。この場合、アンテナスイッチ９３６はカーナビゲーション装置９２０の配置から省略されてもよい。
【０１４７】
バッテリ９３８は給電線によって図２０に示すカーナビゲーション装置９２０の各ブロックに電力を提供し、給電線は図面において部分的に点線によって表される。バッテリ９３８は車両から提供した電力を蓄積する。
【０１４８】
図２０に示すカーナビゲーション装置９２０では、第１から第３の実施例で説明した送受信ユニットは無線通信インターフェース９３３によって実現することができる。機能の少なくとも一部はプロセッサ９２１によって実現することができる。例えば、プロセッサ９２１は、確認ユニット１０１と確定ユニット１０２の機能を実行することによってネットワーク構成の確認及びリンク安定性測定配置の確定を行うことができ、測定ユニット２０１とトリガーユニット２０２の機能を実行することによって、リンク安定性の測定と対応するイベントのトリガーを行うことができ、取得ユニット３０１と生成ユニット３０２の機能を実行することによって、協調感知に用いられる感知配置を生成することができる。
【０１４９】
本開示の技術はカーナビゲーション装置９２０、車載ネットワーク９４１及び車両モジュール９４２のうち１つ又は複数のブロックが含まれた車載システム(又は車両)９４０として実現されることができる。車両モジュール９４２は車両データ(例えば車速、エンジン速度、故障情報)を生成して、生成されたデータを車載ネットワーク９４１に出力する。
【０１５０】
本発明の基本的な原理は、特定の実施例を参照して説明されている。しかしながら、当業者には、本発明の方法および装置のすべて又は任意のステップや部材は、任意のコンピューティングデバイス（プロセッサ、メモリ媒体などを含む）又はコンピューティングデバイスのネットワークにおいて、ハードウェア、ファームウェア、ソフトウェア、又はそれらの組み合わせの形態で実現できることを理解することができることに留意すべきである。これは、本発明の説明を読んだ場合に、それらの基本的な回路設計知識又は基本的なプログラミング技能を使用して当業者によって実現され得る。
【０１５１】
そして、本発明は、機械可読命令コードが記憶されたプログラム製品をさらに提供する。前記命令コードが機械によって読み取って実行される時に、前記本発明実施例による方法を実行することができる。
【０１５２】
それに対応して、前記機械可読命令コードが記憶されたプログラム製品を担う記憶媒体も本発明の開示に含まれた。前記記憶媒体は、フロッピーディスク、光ディスク、光磁気ディスク、メモリカード、メモリスティックなどを含むが、これらに限定されない。
【０１５３】
ソフトウェア又はファームウェアによって本発明を実現する場合に、記憶媒体又はネットワークから専用のハードウェア構成を有するコンピューター(例えば、図２１に示す汎用コンピューター２１００)に当該ソフトウェアを構成するプログラムをインストールして、該当コンピューターは各プログラムがインストールされる場合に、各種の機能などを実行することができる。
【０１５４】
図２１において、中央処理装置（ＣＰＵ）２１０１は、読み取り専用メモリ（ＲＯＭ）２１０２に記憶されたプログラム又は記憶部２１０８からランダムアクセスメモリ（ＲＡＭ）２１０３にロードされたプログラムによって各種の処理を実行する。ＲＡＭ２１０３に、必要に応じても、ＣＰＵが各種の処理などを実行する時に必要なデータが記憶される。ＣＰＵ２１０１とＲＡＭ２１０３はバス２１０４を介して相互に接続される。入力／出力インタフェース２１０５もバス２１０４に接続される。
【０１５５】
入力部分２１０６（キーボード、マウスなどを含む）、出力部分２１０７（例えば陰極線管（ＣＲＴ）、液晶ディスプレイ（ＬＣＤ）などのディスプレイとスピーカなどを含む）、記憶部分２１０８（ハードウェアなどを含む）、通信部分２１０９（例えばＬＡＮカードやモデムなどのネットワークインターフェースカードを含む）が入力／出力インターフェース２１０５に接続された。通信部分２１０９は例えばインターネットなどのネットワークを介して通信処理を実行する。必要に応じて、ドライバー２１１０も入力／出力インタフェース２１０５に接続されることができる。例えば磁気ディスク、光ディスク、光磁気ディスク、半導体メモリなどのリムーバブルメディア２１１１は、必要に応じてドライバー２１１０に装着されて、その中から読み出したコンピュータプログラムが必要に応じて記憶部２１０８にインストールされるようにする。
【０１５６】
ソフトウェアによって上記した一連の処理を実現する場合に、例えばインターネットなどのネットワーク或いは例えばリムーバブルメディア２１１１などの記憶媒体から、ソフトウェアを構成するプログラムをインストールする。
【０１５７】
当業者が理解すべきことは、このような記憶媒体が図２１に示すような、その中にプログラムが記憶され、装置に別途配分してユーザーにプログラムを提供するリムーバブルメディア２１１１に限定されない。リムーバブルメディア２１１１の例は、磁気ディスク（フロッピーディスク（登録商標）を含む）、光ディスク（光ディスク読み取り専用メモリ（ＣＤ-ＲＯＭ）とデジタル多用途ディスク（ＤＶＤ）を含む）、光磁気ディスク（ミニディスク（ＭＤ）（登録商標）を含む）、半導体メモリを含む。或いは、記憶媒体は、ＲＯＭ２１０２、記憶部分２１０８に含まれたハードウェアなどであってもよく、その中にプログラムが記憶され、且つこれらが含まれた装置と一緒にユーザーに配布する。
【０１５８】
なお、本発明の装置、方法、及びシステムでは、各構成要素又は各ステップが分解及び／又は再結合することができるものであってもよい。これらの分解及び／又は再結合は本発明の均等の方案とみなすべきである。さらに、上記した一連の処理を実行するステップは当然、説明の順序に沿って時系列に実行することができるが、必ずしも時系列に実行される必要はない。いくつかのステップは並行的又は互いに独立に実行されてもよい。
【０１５９】
最後、説明する必要なことは、用語「包括」、「含む」又はそのいかなる他の変形は、非排他的な包含を含むことを意味することで、一連の要素を含むプロセス、方法、物品、又はデバイスは、それらの要素を含むだけではなく、明確に記載されていない他の要素をさらに含み、或いは、このようなプロセス、方法、物品、又はデバイスに固有する要素をさらに含む。より多い制限が存在しない場合、「...を一つ含む」という文によって限定される要素は、前記要素を含むプロセス、方法、物品又はデバイスに他の同じ要素がさらに含まれることを排除しない。
【０１６０】
以上、図面を結合して本開示の実施例について詳細に説明したが、上記した実施形態は本発明を説明するためのものであり、本発明を限定するものではないと理解すべきである。当業者にとって、本発明の精神および範囲から逸脱することがなく、上記した実施形態に対して、様々な修正及び変更が可能である。そのため、本発明の範囲は添付した特許請求の範囲及びその等価物のみによって限定される。
【０１６１】
本技術は以下のように配置されてもよい。
【０１６２】
（１）無線通信に用いられる電子装置であって、
車群のネットワーク構成を確認し、
前記ネットワーク構成に対応するリンク安定性測定配置を確定し、前記リンク安定性測定配置が、リンクの受信端装置が伝送されたコンテンツの受信状態に基づいて前記リンクの安定性を確定するために使用される、ように配置される処理回路を含む。
【０１６３】
（２）前記電子装置において、前記処理回路は、所定の時間が経過したこと、車群規模変更、車群メンバーの情報やり取り需要変更、利用可能なネットワーク伝送リソース変更のうち少なくとも１つに応答して前記確認及び前記確定を実行するように配置される。
【０１６４】
（３）前記電子装置において、前記車群のネットワーク構成は、車群規模、車群形式、ネットワーク通信のアーキテクチャ、のうち１つ又は複数を含む。
【０１６５】
（４）前記電子装置において、前記車群のネットワーク通信のアーキテクチャは、１）車群マネージャーが車群メンバーに情報をブロードキャストし、車群メンバーがシングルホップリンクを介して車群マネージャーに情報を送信することと、２）車群マネージャーが車群メンバーに情報をブロードキャストし、車群メンバーが隣接する車群メンバー間の一方向リンクを使用して車群マネージャーに情報を送信することと、３）車群マネージャーが車群メンバーに情報をブロードキャストし、隣接する車群メンバーの間に双方向リンクがあることと、４）隣接する車群メンバー間が双方向リンクを介して情報をやりとることと、５）車群が複数のクラスタに分割され、隣接するクラスタマネージャーの間が双方向リンクを介して情報をやり取り、各クラスタがそれぞれ１）から４）のいずれかで配置されることと、の少なくとも１つを含む。
【０１６６】
（５）前記電子装置において、前記処理回路はさらに、確認されたネットワーク構成に基づいて、ネットワーク端に車群にネットワーク伝送リソースを割り当てるように要求するためのリソース割り当て要求を生成するように配置される。
【０１６７】
（６）前記電子装置において、前記処理回路はさらに、車群内部のリソース需要の総量を推定し、前記リソース割り当て要求に推定されたリソース需要の総量を含める、ように配置される。
【０１６８】
（７）前記電子装置において、前記処理回路は、前記ネットワーク構成、転送ノードのデータ処理モード、単位時間内に車群メンバーによって伝送される情報量のうち少なくとも１つに基づいて前記推定を行う、ように配置される。
【０１６９】
（８）前記電子装置において、前記処理回路は、推定されたリソース需要の総量に基づいて、１つ又は複数の半永続スケジューリング配置要求を前記リソース割り当て要求として生成する、ように配置される。
【０１７０】
（９）前記電子装置において、前記リソース割り当て要求は、車群のネットワーク通信のアーキテクチャの標識及び車群規模の情報を含む。
無線通信に用いられる電子装置であって、
【０１７１】
（１０）前記電子装置において、前記処理回路はさらに、前記ネットワーク構成に基づいて、単位時間内に車群メンバーによって伝送される情報量を確定し、ネットワーク構成と単位時間内に車群メンバーによって伝送される情報量とが対応関係を有するように配置される。
【０１７２】
（１１）前記電子装置において、前記処理回路はさらに、ネットワーク端によって実際に割り当てられたネットワーク伝送リソースに基づいて、車群のネットワーク構成を調整し、調整されたネットワーク構成に基づいて車群内の伝送リソース割り当てを行う、ように配置される。
【０１７３】
（１２）前記電子装置において、前記処理回路はさらに、割り当てられたネットワーク伝送リソースの調整可能範囲を前記ネットワーク端から取得し、ネットワーク伝送リソースを車群メンバーに割り当てる際に前記車群メンバーに当該調整可能範囲を通知するように配置される。
【０１７４】
（１３）前記電子装置において、前記処理回路は、前記リンク安定性測定配置をネットワーク端から取得するか、又は、予め記憶されたネットワーク構成とリンク安定性測定配置との対応関係に基づいて前記リンク安定性測定配置を確定するように配置される。
【０１７５】
（１４）前記電子装置において、前記リンク安定性測定配置はリンク伝送モードとリンク安定性との対応関係を含む。
【０１７６】
（１５）前記電子装置において、前記リンク伝送モードは、所定の時間内にリンク上で伝送を実行する回数を含み、前記リンク安定性には、固定期間に成功した受信の回数又は割合を含む。
【０１７７】
（１６）前記電子装置において、前記処理回路はさらに、各リンクに割り当てられた伝送リソースに基づいて、対応する車群メンバーに提供するための、前記リンクに対するリンク安定性測定配置を確定するように配置される。
【０１７８】
（１７）前記電子装置において、前記処理回路はさらに、リンク安定性測定の結果に基づいて対応するイベントを処理する。
【０１７９】
（１８）前記電子装置において、前記処理回路は、前記リンク安定性測定結果及び／又は車群メンバーによって伝送される情報量の変化に基づいて、車群内の伝送リソースの再割り当てを実行するように配置される。
【０１８０】
（１９）前記電子装置において、前記処理回路は、前記リンク安定性測定結果に基づいて、リンク中断処理を実行し、その中、リンク中断処理の策略は前記ネットワーク構成及び／又はリンク中断が車群走行に与えた影響の程度に依存するように配置される。
【０１８１】
（２０）本技術は、無線通信に用いられる電子装置をさらに提供し、
リンクに対するリンク安定性測定配置に基づいてリンク安定性の測定を行い、その中、前記リンクの受信端が前記電子装置の位置する車両であって、前記リンクの送信端が車群のうち他の車両であり、
前記測定の結果に基づいて対応するイベントをトリガーする、ように配置される処理回路を含む。
【０１８２】
（２１）（２０）に記載の電子装置であって、前記処理回路は、前記測定の結果に基づいてリソース配置調整イベントをトリガーするように配置される。
【０１８３】
（２２）（２１）に記載の電子装置であって、前記処理回路はさらに、伝送する必要のある情報量の変化に基づいて前記リソース配置調整イベントをトリガーするように配置される。
【０１８４】
（２３）（２１）に記載の電子装置であって、前記処理回路は、リソース配置調整が調整可能範囲内にある時に、前記リンクの送信端に送信される調整要求を生成し、リソース配置調整が調整可能範囲内にない時に、前記電子装置が位置する車両の車群マネージャーに送信される調整要求を生成する、ように配置される。
【０１８５】
（２４）（２０）に記載の電子装置であって、前記処理回路は、前記測定の結果に基づいてリンク中断処理イベントをトリガーするように配置される。
【０１８６】
（２５）（２４）に記載の電子装置であって、リンク中断処理の策略は、リンク中断が車群走行に与えた影響の程度及び／又は車群のネットワーク構成に依存する。
【０１８７】
（２６）（２４）に記載の電子装置であって、前記処理回路はさらに、前記車群のマネージャーに通知するための、中断処理結果が含まれる報告を生成するように配置される。
【０１８８】
（２７）無線通信に用いられる電子装置であって、
車群メンバーの感知動作に関するパラメータを取得し、
前記パラメータに基づいて、車群のうち複数の車群メンバーに対する感知配置を生成し、前記複数の車群メンバーが前記感知配置に基づいて協調感知を行う、ように配置される処理回路を含む。
【０１８９】
（２８）（２７）に記載の電子装置であって、前記パラメータは、非相関距離、有効感知ノードの数、車群メンバー感知能力、車群メンバーの位置、のうち１つ又は複数を含む。
【０１９０】
（２９）（２７）に記載の電子装置であって、前記感知配置感知に関与する車群メンバー、感知される周波数スペクトル範囲及び時間範囲、感知結果の報告、結果の報告に用いられるリソース配置、のうち１つ又は複数を含む。
【０１９１】
（３０）（２９）に記載の電子装置であって、前記感知結果の報告の形態は、少なくともリンク安定性測定の結果に依存するように配置される。
【０１９２】
（３１）（３０）に記載の電子装置であって、前記処理回路はさらに、車群のネットワーク構成に対応するリンク安定性測定配置を確定し、前記リンク安定性測定配置が、リンクの受信端装置が伝送されたコンテンツの受信状態に基づいて前記リンクの安定性を確定するために使用されるように配置される。
【０１９３】
（３２）（２７）に記載の電子装置であって、前記処理回路はさらに、前記協調感知の結果に基づいて、車群に対する感知された周波数スペクトルの使用者の位置を確定するように配置される。
【０１９４】
（３３）無線通信に用いられる方法であって、
車群のネットワーク構成を確認することと、
前記ネットワーク構成に対応するリンク安定性測定配置を確定し、前記リンク安定性測定配置が、リンクの受信端装置が伝送されたコンテンツの受信状態に基づいて前記リンクの安定性を確定するために使用されることと、を含む。
【０１９５】
（３４）無線通信に用いられる方法であって、
リンクに対するリンク安定性測定配置に基づいてリンク安定性の測定を行い、その中、前記リンクの受信端が前記電子装置の位置する車両であって、前記リンクの送信端が車群のうち他の車両であることと、
前記測定の結果に基づいて対応するイベントをトリガーすることと、を含む。
【０１９６】
（３５）無線通信に用いられる方法であって、
車群メンバーの感知動作に関するパラメータを取得することと、
前記パラメータに基づいて、車群のうち複数の車群メンバーに対する感知配置を生成し、前記複数の車群メンバーが前記感知配置に基づいて協調感知を行うことと、を含む。
【図１】
2020519036.tif 000003
【図２】
2020519036.tif 000004
【図３】
2020519036.tif 000005
【図４】
2020519036.tif 000006
【図５】
2020519036.tif 000007
【図６】
2020519036.tif 000008
【図７】
2020519036.tif 000009
【図８】
2020519036.tif 000010
【図９】
2020519036.tif 000011
【図１０】
2020519036.tif 000012
【図１１】
2020519036.tif 000013
【図１２】
2020519036.tif 000014
【図１３】
2020519036.tif 000015
【図１４】
2020519036.tif 000016
【図１５】
2020519036.tif 000017
【図１６】
2020519036.tif 000018
【図１７】
2020519036.tif 000019
【図１８】
2020519036.tif 000020
【図１９】
2020519036.tif 000021
【図２０】
2020519036.tif 000022
【図２１】
2020519036.tif 000023
【国際調査報告】
2020519036.tif 000024
2020519036.tif 000025
2020519036.tif 000026
2020519036.tif 000027
2020519036.tif 000028